(57)【要約】【課題】多チャンネル高集積度ＥＯ−ＳＷにおいて、リーク電流の発生を抑制し安定的に動作する光スイッチの制御装置を提供する。【解決手段】ＥＯ効果を持つデバイスを使用する多チャンネル光スイッチの制御装置であって、切替情報が経路切替指示装置から出力開始された時点からの経過時間（ＥＬ＿Ｔ）が、所定の集計時間閾値（Ａｍ＿Ｔ）より短いと判定した場合には、電極電圧印加装置（１０６）は切替情報に基づいて光スイッチの切替をするための電圧を印加し、ＥＬ＿ＴがＡｍ＿Ｔを越えたと判定した場合には、切替判定処理装置（１０５）により所定の切替条件を満たした場合にのみ、電極電圧印加装置により切替情報に基づいて切替をするための電圧を印加し、所定の切替条件を満たしていない場合には、切替をするための電圧をスイッチに印加をせずに、切替判定処理装置（１０５）から切替不成立通知を経路切替指示装置（８０１）に通知する。【選択図】図１０
2008046316.tif 000002
【特許請求の範囲】
【請求項１】
電気光学効果を持つデバイスを使用する多チャンネル光スイッチの各々の光スイッチの制御装置であって、
経路切替指示装置からの前記光スイッチの切替情報を入力する切替情報入力装置と、前記切替情報が前記経路切替指示装置から出力開始された時点からの経過時間ＥＬ＿Ｔを記録する経過時間記録装置と、
前記切替情報に基づいて前記光スイッチの切替が可能かどうかを判定するための判定用データを記録する判定用データ記録装置と、
前記経過時間ＥＬ＿Ｔが所定の集計開始時間Ａｍ＿Ｔを超えたかどうかを判定する経過時間判定装置と、
前記経過時間判定装置の出力と前記判定用データ記録装置の出力とに基づいて切替判定をする切替判定処理装置と、
電極電圧印加装置とを備え、
前記経過時間判定装置が、前記所定の集計開始時間Ａｍ＿Ｔより前記経過時間ＥＬ＿Ｔが短いと判定した場合には、前記電極電圧印加装置は前記切替情報に基づいて前記光スイッチの切替をするための電圧を印加し、
前記経過時間判定装置が、前記経過時間ＥＬ＿Ｔが前記所定の集計開始時間Ａｍ＿Ｔを超えたと判定した場合には、前記切替判定処理装置により所定の切替条件を満たした場合にのみ、前記電極電圧印加装置により前記切替情報に基づいて前記光スイッチの切替をするための電圧を前記光スイッチに印加するようにし、前記切替判定処理装置により所定の切替条件を満たしていないと判定された場合には、前記電極電圧印加装置により前記光スイッチの切替をするための電圧を前記光スイッチに印加しないようにすると共に、前記切替判定処理装置から切替不成立通知を前記経路切替指示装置に通知するようにした事を特徴とする、多チャンネル光スイッチの制御装置。
【請求項２】
前記切替情報入力装置は、前記光スイッチの切替前のパス接続で印加された電圧Ｖｔ１を記録するＶｔ１レジスタと、前記光スイッチの切替後のパス接続で印加された電圧Ｖ２を記録するＶｔ２レジスタとを備えており、
前記判定用データ記録装置は、前記電圧Ｖｔ１と前記電圧Ｖｔ２との差の絶対値Ｖｔｓを記録するＶｔｓレジスタと、前記Ｖｔｓレジスタに格納された値を切替チャンネル差加算値Ｖｔｓｍに加算して該切替チャンネル差加算値Ｖｔｓｍを更新するＶｔｓｍレジスタとを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記Ｖｔｓｍ値を前記経過時間ＥＬ＿Ｔで除算して得られる値ＶｔｓｍＡを格納するＶｔｓｍＡレジスタと、前記ＶｔｓｍＡ値と所定の電極電圧印加判定用閾値ＶｔｓｍＡ＿ＴＨとを比較する比較装置とを備えており、
前記ＥＬ＿Ｔレジスタ及び前記Ｖｔｓｍレジスタの値はそれぞれ、前記除算が終了すると所定の初期値にクリアされるようになっており、
前記電極電圧印加装置は、前記ＶｔｓｍＡ値が前記所定の電極電圧印加判定用閾値ＶｔｓｍＡ＿ＴＨより小さい場合に前記切替情報に基づいて前記光スイッチの切替をするための電圧を前記光スイッチに印加するようにし、前記ＶｔｓｍＡ値が前記所定の電極電圧印加判定用閾値ＶｔｓｍＡ＿ＴＨ以上の場合には切替不成立通知を前記経路切替指示装置に通知するようにした事を特徴とする、請求項１に記載の多チャンネル光スイッチの制御装置。
【請求項３】
前記切替情報入力装置及び前記判定用データ記録装置は前記光スイッチの切替回数Ｓｗを記録するＳｗレジスタを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記切替回数Ｓｗを前記経過時間ＥＬ＿Ｔで除算して得られるＳｗＡ値を格納するＳｗＡレジスタと、前記ＳｗＡ値を所定の電極電圧印加判定用閾値ＳｗＡ＿ＴＨと比較する比較装置とを備えており、
前記Ｓｗレジスタの値及び前記ＥＬ＿Ｔレジスタの値はそれぞれ、前記除算が終了すると所定の初期値にクリアされるようになっており、
前記電極電圧印加装置は、前記ＳｗＡ値が前記所定の電極電圧印加判定用閾値ＳｗＡ＿ＴＨより小さい場合に前記切替情報に基づいて前記光スイッチの切替をするための電圧を前記光スイッチに印加するようにし、前記ＳｗＡ値が前記所定の電極電圧印加判定用閾値ＳｗＡ＿ＴＨ以上の場合には切替不成立通知を前記経路切替指示装置に通知するようにした事を特徴とする、請求項１に記載の多チャンネル光スイッチの制御装置。
【請求項４】
前記切替情報入力装置は、前記光スイッチの切替前のパス接続で印加された電圧Ｖｔ１を記録するＶｔ１レジスタと、前記光スイッチの切替後のパス接続で印加された電圧Ｖ２を記録するＶｔ２レジスタとを備えており、
前記判定用データ記録装置は、前記電圧Ｖｔ１と前記電圧Ｖｔ２との差の絶対値Ｖｔｓを記録するＶｔｓレジスタと、前記Ｖｔｓレジスタに格納された値を切替チャンネル差加算値Ｖｔｓｍに加算してチャンネル差加算値Ｖｔｓｍを更新するＶｔｓｍレジスタとを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記切替チャンネル差加算値Ｖｔｓｍと該切替チャンネル差加算値Ｖｔｓｍから想定される自然放熱を導く為の係数Ｗｖｔとの乗算値から前記経過時間ＥＬ＿Ｔと該経過時間ＥＬ＿Ｔから想定される自然法熱量を導く為の係数Ｗｖｔ＿ｌｏｓｓとの乗算値を減算して得られるＷｖｔｓｍＡ値を格納するＷｖｔｓｍＡレジスタと、前記ＷｖｔｓｍＡ値を所定のＷｖｔｓｍＡ値用閾値ＷｖｔｓｍＡ＿ＴＨと比較する比較装置とを備えており、
前記Ｖｔｓｍレジスタの値及び前記ＥＬ＿Ｔレジスタの値はそれぞれ、前記減算が終了すると所定の初期値にクリアされるようになっており、
前記電極電圧印加装置は、前記ＷｖｔｓｍＡ値が前記所定の電極電圧印加判定用閾値ＷｖｔｓｍＡ値用閾値ＷｖｔｓｍＡ＿ＴＨより小さい場合に前記切替情報に基づいて前記光スイッチの切替をするための電圧を前記光スイッチに印加するようにし、前記ＷｖｔｓｍＡ値が前記ＷｖｔｓｍＡ値用閾値ＷｖｔｓｍＡ＿ＴＨ以上の場合には切替不成立通知を前記経路切替指示装置に通知するようにした事を特徴とする、請求項１に記載の多チャンネル光スイッチの制御装置。
【請求項５】
前記切替情報入力装置及び前記判定用データ記録装置は前記光スイッチの切替回数Ｓｗを記録するＳｗレジスタを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記切替回数Ｓｗと該切替回数Ｓｗから想定される発熱量を導く為の係数Ｗｓｗとの乗算値から前記経過時間ＥＬ＿Ｔと該経過時間ＥＬ＿Ｔから想定される自然発熱量を導く為の係数Ｗｓｗ＿ｌｏｓｓとの乗算値を減算して得られるＷｓｗＡ値を格納するＷｓｗＡレジスタと、前記ＷｓｗＡ値を所定のＷｓｗＡ用閾値ＷｓｗＡ＿ＴＨと比較する比較装置とを備えており、
前記Ｓｗレジスタの値及び前記ＥＬ＿Ｔレジスタの値はそれぞれ、前記減算が終了すると所定の初期値にクリアされるようになっており、
前記電極電圧印加装置は、前記ＷｓｗＡ値が前記所定のＷｓｗＡ用閾値ＷｓｗＡ＿ＴＨより小さい場合に前記切替情報に基づいて前記光スイッチの切替をするための電圧を前記光スイッチに印加するようにし、前記ＷｓｗＡ値が前記所定のＷｓｗＡ用閾値ＷｓｗＡ＿ＴＨ以上の場合には切替不成立通知を前記経路切替指示装置に通知するようにした事を特徴とする、請求項１に記載の多チャンネル光スイッチの制御装置。
【請求項６】
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と前記後隣接チャンネル電圧差Ｖｔｃ２の絶対値とを比較する比較装置と、前記前隣接チャンネル電圧差Ｖｔｃ１の絶対値と前記後隣接チャンネル電圧差Ｖｔｃ２の絶対値とのうち大きい方の隣接チャンネル電圧差を隣接チャンネル電圧差値Ｖｔｃに変換する変換装置と、前記隣接チャンネル電圧差値Ｖｔｃを隣接チャンネル差加算値Ｖｔｃｍに加算して隣接チャンネル差加算値を更新するＶｔｃｍレジスタとを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記Ｖｔｃｍ値を前記経過時間ＥＬ＿Ｔで除算して得られる値ＶｔｃｍＡを格納するＶｔｃｍＡレジスタと、前記ＶｔｃｍＡ値と所定の電極電圧印加判定用閾値ＶｔｃｍＡ＿ＴＨとを比較する比較装置とを備えており、
前記ＥＬ＿Ｔレジスタ及び前記Ｖｔｃｍレジスタの値はそれぞれ、前記除算が終了すると所定の初期値にクリアされるようになっており、
前記電極電圧印加装置は、前記ＶｔｃｍＡ値が前記所定の電極電圧印加判定用閾値ＶｔｃｍＡ＿ＴＨより小さい場合に前記切替情報に基づいて前記光スイッチの切替をするための電圧を前記光スイッチに印加するようにし、前記ＶｔｃｍＡ値が前記所定の電極電圧印加判定用閾値ＶｔｃｍＡ＿ＴＨ以上の場合には切替不成立通知を前記経路切替指示装置に通知するようにした事を特徴とする、請求項１に記載の多チャンネル光スイッチの制御装置。
【請求項７】
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と隣接チャンネル差判定用閾値Ｖｔｃ＿ＴＨとを比較する第１の比較装置と、前記後隣接チャンネル電圧差Ｖｔｃ２の絶対値と前記隣接チャンネル差判定用閾値Ｖｔｃ＿ＴＨとを比較する第２の比較装置と、前記前隣接チャンネル電圧差Ｖｔｃ１の絶対値が前記隣接チャンネル差判定用閾値Ｖｔｃ＿ＴＨ以上で、且つ、前記後隣接チャンネル電圧差Ｖｔｃ２の絶対値が前記隣接チャンネル差判定用閾値Ｖｔｃ＿ＴＨ以上のときにスイッチ回数Ｓｗに１を加算してＳｗとするスイッチ回数カウンタとを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記スイッチ回数カウンタの値Ｓｗを前記経過時間ＥＬ＿Ｔで除算して得られる時間当たりのチャンネル間リーク処理用値ＳｗｃＡを格納するＳｗｃＡレジスタと、前記チャンネル間リーク処理用値ＳｗｃＡと所定のチャンネルリーク処理用電極電圧印加判定用回数閾値ＳｗｃＡ＿ＴＨとを比較する第３の比較装置とを備えており、
前記ＥＬ＿Ｔレジスタ及び前記スイッチ回数カウンタの値はそれぞれ、前記除算が終了すると所定の初期値にクリアされるようになっており、
前記電極電圧印加装置は、前記チャンネル間リーク処理用値ＳｗｃＡが前記所定のチャンネルリーク処理用電極電圧印加判定用回数閾値ＳｗｃＡ＿ＴＨより小さい場合に前記切替情報に基づいて前記光スイッチの切替をするための電圧を前記光スイッチに印加するようにし、前記チャンネル間リーク処理用値ＳｗｃＡが前記所定のチャンネルリーク処理用電極電圧印加判定用回数閾値ＳｗｃＡ＿ＴＨ以上の場合には切替不成立通知を前記経路切替指示装置に通知するようにした事を特徴とする、請求項１に記載の多チャンネル光スイッチの制御装置。
【請求項８】
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と前記後隣接チャンネル電圧差Ｖｔｃ２の絶対値とを比較する比較装置と、前記前隣接チャンネル電圧差Ｖｔｃ１の絶対値と前記後隣接チャンネル電圧差Ｖｔｃ２の絶対値とのうち大きい方の隣接チャンネル電圧差を隣接チャンネル電圧差値Ｖｔｃに変換する変換装置と、前記隣接チャンネル電圧差値Ｖｔｃを隣接チャンネル差加算値Ｖｔｃｍに加算して隣接チャンネル差加算値を更新するＶｔｃｍレジスタとを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記隣接チャンネル電圧差値Ｖｔｃと該前記隣接チャンネル電圧差値Ｖｔｃから想定される発熱量を導く為の係数Ｗｖｔｃとの乗算値から前記経過時間ＥＬ＿Ｔと該経過時間ＥＬ＿Ｔから想定される自然発熱量を導く為の係数Ｗｓｗｃ＿ｌｏｓｓとの乗算値を減算して得られるＷｖｔｃｍＡ値を格納するＷｖｔｃｍＡレジスタと、前記ＷｖｔｃｍＡ値を所定のＷｖｔｃｍＡ用閾値ＷｖｔｃｍＡ＿ＴＨと比較する比較装置とを備えており、
前記Ｖｔｃｍレジスタの値及び前記ＥＬ＿Ｔレジスタの値はそれぞれ、前記減算が終了すると所定の初期値にクリアされるようになっており、
前記電極電圧印加装置は、前記ＷｖｔｃｍＡ値が前記所定のＷｖｔｃｍＡ用閾値ＷｖｔｃｍＡ＿ＴＨより小さい場合に前記切替情報に基づいて前記光スイッチの切替をするための電圧を前記光スイッチに印加するようにし、前記ＷｖｔｃｍＡ値が前記所定のＷｖｔｃｍＡ用閾値ＷｖｔｃｍＡ＿ＴＨ以上の場合には切替不成立通知を前記経路切替指示装置に通知するようにした事を特徴とする、請求項１に記載の多チャンネル光スイッチの制御装置。
【請求項９】
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と隣接チャンネル差判定用閾値Ｖｔｃ＿ＴＨとを比較する第１の比較装置と、前記後隣接チャンネル電圧差Ｖｔｃ２の絶対値と前記隣接チャンネル差判定用閾値Ｖｔｃ＿ＴＨとを比較する第２の比較装置と、前記前隣接チャンネル電圧差Ｖｔｃ１の絶対値が前記隣接チャンネル差判定用閾値Ｖｔｃ＿ＴＨ以上で、且つ、前記後隣接チャンネル電圧差Ｖｔｃ２の絶対値が前記隣接チャンネル差判定用閾値Ｖｔｃ＿ＴＨ以上のときにスイッチ回数Ｓｗに１を加算してＳｗとするスイッチ回数カウンタとを備えており、
前記経過時間記録装置は前記経過時間ＥＬ＿Ｔを記録するＥＬ＿Ｔレジスタであり、
前記切替判定処理装置は、前記経過時間ＥＬ＿Ｔが前記所定の集計開始時間Ａｍ＿Ｔを超えたと判定した場合に、前記切替回数Ｓｗと該切替回数Ｓｗから想定される発熱量を導く為の係数Ｗｓｗｃとの乗算値から前記経過時間ＥＬ＿Ｔと該経過時間ＥＬ＿Ｔから想定される自然発熱量を導く為の係数Ｗｓｗｃ＿ｌｏｓｓとの乗算値を減算して得られるＷｓｗｃＡ値を格納するＷａｗｃＡレジスタと、前記ＷｓｗｃＡ値を所定のＷｓｗｃＡ用閾値ＷｓｗｃＡ＿ＴＨと比較する比較装置とを備えており、
前記Ｓｗレジスタの値及び前記ＥＬ＿Ｔレジスタの値は前記減算が終了するとクリアされるようになっており、
前記電極電圧印加装置は、前記ＷｓｗｃＡ値が前記所定のＷｓｗｃＡ用閾値ＷｓｗｃＡ＿ＴＨより小さい場合に前記切替情報に基づいて前記光スイッチの切替をするための電圧を前記光スイッチに印加するようにし、前記ＷｓｗｃＡ値が前記所定のＷｓｗｃＡ用閾値ＷｓｗＡ＿ＴＨ以上の場合には切替不成立通知を前記経路切替指示装置に通知するようにした事を特徴とする、請求項１に記載の多チャンネル光スイッチの制御装置。
【請求項１０】
前記電極電圧印加装置は、前記切替不成立通知を前記経路切替指示装置に通知する場合に、電極電圧の印加をオフにする手段、前記経路切替指示装置からの切替情報に依存しないで電極電圧をそのまま保持し続ける手段、電極にパス接続にとってはイレギュラーな印加電圧を印加し続ける手段のいずれかを備えることを特徴とする、請求項１から９のいずれか一項に記載の多チャンネル光スイッチの制御装置。
【発明の詳細な説明】
【技術分野】
【０００１】
本発明は電気光学効果（ＥＯ効果）を利用した多チャンネル光スイッチの制御装置に関し、より詳細には光スイッチの電極とグランド間又は配線間のリーク電流による光スイッチ素子の発熱を防止した、多チャンネル光スイッチの制御装置に関する。
【背景技術】
【０００２】
ポッケルス効果、カー効果等の「ＥＯ効果を持つデバイス（ＰＬＺＴ等）」を使用した光スイッチは、機構的な光スイッチ（ＭＥＭＳ）に比べて、動作速度が速い、寿命が機構的なスイッチよりも長い等のメリットがあり、高速に大容量の光回線を切り替える装置（例えば光のルータ等）への応用が期待されている（以下、この様なＥＯ効果を持つ光スイッチをＥＯ−ＳＷ又は単に光スイッチと記す）。
ＥＯ−ＳＷは、与えられる電場の大きさやその変化（電極面積や印加電圧に関係する）に相関して偏向角度を変えられる特徴がある。
図１は周知の光スイッチの１個を示す斜視図である。同図において、１１はグランド板、１２はＰＬＺＴ（チタン酸ジルコン酸ランタン鉛）により構成されたプリズムの形をした光スイッチ、１３は光スイッチ１２の上面に形成された電極板、１４はグラント板１１と電極板１３の間に電圧Ｖを印加する電源である。電圧Ｖを印加前は入力光１５は屈折せずに出力光１６として光スイッチ１２を透過する。電圧Ｖを印加後は入力光１５は屈折して出力光１７となる。
【０００３】
図２は従来の２チャンネル光スイッチの制御装置の構成を示すブロック図である。同図において、２１１〜２１４は入力側の光スイッチ、２１５〜２１９は出力側の光スイッチ、２２０はグランド板、２２１〜２２４はそれぞれ入力側光スイッチ２１１〜２１４に電圧を印加するための電源装置、２２５〜２２８はそれぞれ出力側光スイッチ２１５〜２１９に電圧を印加するための電源装置、２３０は電源２２１〜２２８の出力電圧を制御する制御部である。制御部に入力する制御信号は人手で行う。
【０００４】
このように、従来のＥＯ−ＳＷは、研究開発初期段階という事もあり搭載チャンネル数が少なく（図示の場合は２チャンネル）、まだ装置組み込みをターゲットとしておらず、駆動部を複数の電源装置で構成し、これを各光スイッチの電極毎に個別制御する構成になっていた。
【０００５】
例えば、第１チャンネルのＯｐｔ  ＩＮ  １から入力された光信号は、光スイッチ２１３、２１４、２１８、２１９に電圧Ｖ１−１が印加されれば、ＯｐｔＯＵＴ１へ出力されてパス１−１が確立され、光スイッチ２１３、２１４、２１５、２１６に電圧Ｖ１−２が印加されれば、ＯｐｔＯＵＴ２へ出力されてパス１−２が確立される。
【０００６】
図３は図２に示した従来の２チャンネル光スイッチの制御装置の動作を説明するフローチャートである。同図において、ステップ３０１にて切替情報が人手で外部より制御部２３０に入力されると、制御部２３０ではステップ３０２にて接続記憶テーブル３０３を参照して、現在のパス接続の状態を参照し、ステップ３０４にて接続許可をするか否かを判断する。入力された切替情報で使用するチャンネルが未使用であれば、接続を許可し、使用中であればステップ３０５にて接続エラーと判断して接続を許可しない。
【０００７】
接続が許可されると、ステップ３０６にて所定の電極に所望の電圧を印加し、その後ステップ３０７にて一定時間待機した後に、ステップ３０８にてモニタ処理を行う。モニタ処理では、ステップ３０９にて入力データと接続データとの間の誤差がある一定範囲内であるかどうかの誤差比較の判定を行い、一定範囲内でなければステップ３１０で電極電圧の微調整を行った後に、ステップ３１１にて次の切替情報の入力待ちとなる。ステップ３０９での誤差比較の判定は、ＥＯ−ＳＷの経時変化や温度変動等の変動要因を補正し、印加した電圧が常時最適になる様な、補正処理を行っている。
【０００８】
【特許文献１】特開平５−２９２０３０号公報
【特許文献２】国際公開第ＷＯ９４／０９５７５号パンフレット
【特許文献３】特開平４−１９４８２４号公報
【発明の開示】
【発明が解決しようとする課題】
【０００９】
現在では、装置組み込み化の為に、多チャンネルで高集積度のＥＯ−ＳＷが開発され、これを高速に連続してパス切替動作させる事がターゲットとなってきた。
従来の技術では、チャンネル数が少なく、静的で間欠的なスイッチングを行っていたので問題はなかったが、新たに開発された、多チャンネルで高集積度のＥＯ−ＳＷを高速に連続してスイッチング動作させる事で、以下の課題が生じた。
【００１０】
課題１．ＥＯ−ＳＷの各電極−グランド間に存在する容量成分により、高速で連続的なスイッチングを行うと、各電極−グランド間に連続的なリーク電流（自チャンネル回路におけるリーク電流）が発生する。
【００１１】
課題２．多チャンネル化し、高集積化されたＥＯ−ＳＷでは、隣接するチャンネル間（電極部、パターン部共に）に容量成分が存在する為、高速で連続的なスイッチングを行うと隣接するチャンネル間に連続的なリーク電流（隣接チャンネル間におけるリーク電流）が発生する。
【００１２】
リーク電流の発生により、単に電極に対するノイズが発生するのみならず、そのリーク部位を中心とした温度上昇現象が発生し最悪の場合、光スイッチ素子の破壊をもたらす。
【００１３】
図４は図２に示した従来の２チャンネル光スイッチの制御装置の動作を説明するグラフ図である。同図において、（Ａ）は１個の光スイッチに印加される電圧の例の時間的変化を示すグラフであり、（Ｂ）は上記電圧印加により発生するリーク電流を示すグラフであり、（Ｃ）は上記電圧印加により生じる温度変化を示すグラフである。
【００１４】
図４の（Ａ）に示すように１個の光スイッチに対して印加電圧のオンとオフを比較的低頻度で繰り返すと、印加電圧の立ち上がり及び立下りで（Ｂ）に示すようなリーク電流が発生するが、リーク電流の発生間隔が長いので（Ｃ）に示すように発熱はほとんど発生しない。
【００１５】
しかし、印加電圧のオンとオフの周期が短くなると、リーク電流による発熱の問題が発生する。
【００１６】
図５は光スイッチ５１〜５４の電極からグランド板５５に電流がリークする様子を示した図である。
【００１７】
図６は光スイッチ６０１〜６０４の電極に接続された配線６０５〜６０８と、光スイッチ６０９〜６１２の電極に接続された配線６１３〜６１６との間で発生するリーク電流を示す図である。
【００１８】
図７は従来の光スイッチの制御装置において、高速で連続的なスイッチングを行った場合のリーク電流と発熱の様子を示すグラフ図である。同図において、（Ａ）に示すように高速で連続的に光スイッチの電極への印加電圧を変化させると、（Ｂ）に示すようにリーク電流が連続的に発生し、この結果（Ｃ）に示すように時間経過と共に光スイッチの温度が上昇する。この結果、上記のように最悪の場合、光スイッチが破壊されるという問題があった。
【００１９】
本発明の目的は、上記従来技術における問題に鑑み、多チャンネルで高集積度のＥＯ−ＳＷにおいて、そのスイッチング動作を制御する事で、リーク電流の発生を抑制し安定的に動作する光スイッチの制御装置を提供することにある。
【課題を解決するための手段】
【００２０】
上記目的を達成するために、本発明の第１の態様により提供されるものは、電気光学効果を持つデバイスを使用する多チャンネル光スイッチの各々の光スイッチの制御装置であって、経路切替指示装置からの光スイッチの切替情報を入力する切替情報入力装置を備え、光スイッチの切替情報が経路切替指示装置から出力開始された時点からの経過時間ＥＬ＿Ｔが、所定の集計時間閾値Ａｍ＿Ｔより短いと判定した場合には、電極電圧印加装置は切替情報に基づいて光スイッチの切替をするための電圧を印加し、経過時間判定装置が、経過時間ＥＬ＿Ｔが所定の集計時間閾値Ａｍ＿Ｔを超えたと判定した場合には、切替判定処理装置により所定の切替条件を満たした場合にのみ、電極電圧印加装置により切替情報に基づいて光スイッチの切替をするための電圧を光スイッチに印加するようにし、切替判定処理装置により所定の切替条件を満たしていないと判定された場合には、電極電圧印加装置により光スイッチの切替をするための電圧を光スイッチに印加しないようにすると共に、切替判定処理装置から切替不成立通知を経路切替指示装置に通知するようにした事を特徴とする、多チャンネル光スイッチの制御装置である。
【００２１】
本発明の第２の態様によれば、上記第１の態様において、切替情報入力装置は、光スイッチの切替前のパス接続で印加された電圧Ｖｔ１を記録するＶｔ１  レジスタと、光スイッチの切替後のパス接続で印加された電圧Ｖ２を記録するＶｔ２レジスタとを備えており、判定用データ記録装置は、電圧Ｖｔ１と電圧Ｖｔ２との差の絶対値Ｖｔｓを記録するＶｔｓレジスタと、Ｖｔｓレジスタに格納された値を切替チャンネル差加算値Ｖｔｓｍに加算して該切替チャンネル差加算値Ｖｔｓｍを更新するＶｔｓｍレジスタとを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、Ｖｔｓｍ値を経過時間ＥＬ＿Ｔで除算して得られる値ＶｔｓｍＡを格納するＶｔｓｍＡレジスタと、ＶｔｓｍＡ値と所定の電極電圧印加判定用閾値ＶｔｓｍＡ＿ＴＨとを比較する比較装置とを備えており、ＥＬ＿Ｔレジスタ及びＶｔｓｍレジスタの値はそれぞれ、除算が終了すると所定の初期値にクリアされるようになっており、電極電圧印加装置は、ＶｔｓｍＡ値が所定の電極電圧印加判定用閾値ＶｔｓｍＡ＿ＴＨより小さい場合に切替情報に基づいて光スイッチの切替をするための電圧を光スイッチに印加するようにし、ＶｔｓｍＡ値が所定の電極電圧印加判定用閾値ＶｔｓｍＡ＿ＴＨ以上の場合には切替不成立通知を経路切替指示装置に通知するようにした。
【００２２】
本発明の第３の態様によれば、上記第１の態様において、切替情報入力装置及び判定用データ記録装置は光スイッチの切替回数Ｓｗを記録するＳｗレジスタを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、切替回数Ｓｗを経過時間ＥＬ＿Ｔで除算して得られるＳｗＡ値を格納するＳｗＡレジスタと、ＳｗＡ値を所定の電極電圧印加判定用閾値ＳｗＡ＿ＴＨと比較する比較装置とを備えており、Ｓｗレジスタの値及びＥＬ＿Ｔレジスタの値はそれぞれ、除算が終了すると所定の初期値にクリアされるようになっており、電極電圧印加装置は、ＳｗＡ値が所定の電極電圧印加判定用閾値ＳｗＡ＿ＴＨより小さい場合に切替情報に基づいて光スイッチの切替をするための電圧を光スイッチに印加するようにし、ＳｗＡ値が所定の電極電圧印加判定用閾値ＳｗＡ＿ＴＨ以上の場合には切替不成立通知を経路切替指示装置に通知するようにした。
【００２３】
本発明の第４の態様によれば、切替情報入力装置は、光スイッチの切替前のパス接続で印加された電圧Ｖｔ１を記録するＶｔ１レジスタと、光スイッチの切替後のパス接続で印加された電圧Ｖ２を記録するＶｔ２レジスタとを備えており、判定用データ記録装置は、電圧Ｖｔ１と電圧Ｖｔ２との差の絶対値Ｖｔｓを記録するＶｔｓレジスタと、Ｖｔｓレジスタに格納された値を切替チャンネル差加算値Ｖｔｓｍに加算してチャンネル差加算値Ｖｔｓｍを更新するＶｔｓｍレジスタとを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、切替チャンネル差加算値Ｖｔｓｍと該切替チャンネル差加算値Ｖｔｓｍから想定される自然放熱を導く為の係数Ｗｖｔとの乗算値から経過時間ＥＬ＿Ｔと該経過時間ＥＬ＿Ｔから想定される自然法熱量を導く為の係数Ｗｖｔ＿ｌｏｓｓとの乗算値を減算して得られるチャンネル切替時発熱算出値ＷｖｔｓｍＡを格納するＷｖｔｓｍＡレジスタと、ＷｖｔｓｍＡ値を所定のＷｖｔｓｍＡ値用閾値ＷｖｔｓｍＡ＿ＴＨと比較する比較装置とを備えており、Ｖｔｓｍレジスタの値及びＥＬ＿Ｔレジスタの値はそれぞれ、減算が終了すると所定の初期値にクリアされるようになっており、電極電圧印加装置は、ＷｖｔｓｍＡ値が所定の電極電圧印加判定用閾値ＷｖｔｓｍＡ値用閾値ＷｖｔｓｍＡ＿ＴＨより小さい場合に切替情報に基づいて光スイッチの切替をするための電圧を光スイッチに印加するようにし、ＷｖｔｓｍＡ値がＷｖｔｓｍＡ値用閾値ＷｖｔｓｍＡ＿ＴＨ以上の場合には切替不成立通知を経路切替指示装置に通知するようにした。
【００２４】
本発明の第５の態様によれば、上記第１の態様において、切替情報入力装置及び判定用データ記録装置は光スイッチの切替回数Ｓｗを記録するＳｗレジスタを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、切替回数Ｓｗと該切替回数Ｓｗから想定される発熱量を導く為の係数Ｗｓｗとの乗算値から経過時間ＥＬ＿Ｔと該経過時間ＥＬ＿Ｔから想定される自然発熱量を導く為の係数Ｗｓｗ＿ｌｏｓｓとの乗算値を減算して得られるＷｓｗＡ値を格納するＷｓｗＡレジスタと、ＷｓｗＡ値を所定のＷｓｗＡ用閾値ＷｓｗＡ＿ＴＨと比較する比較装置とを備えており、Ｓｗレジスタの値及びＥＬ＿Ｔレジスタの値はそれぞれ、減算が終了すると所定の初期値にクリアされるようになっており、電極電圧印加装置は、ＷｓｗＡ値が所定のＷｓｗＡ用閾値ＷｓｗＡ＿ＴＨより小さい場合に切替情報に基づいて光スイッチの切替をするための電圧を光スイッチに印加するようにし、ＷｓｗＡ値が所定のＷｓｗＡ用閾値ＷｓｗＡ＿ＴＨ以上の場合には切替不成立通知を経路切替指示装置に通知するようにした。
【００２５】
本発明の第６の態様によれば、上記第１の態様において、切替情報入力装置は、自チャンネルの光スイッチへの自チャンネル印加電圧Ｖ１と、自チャンネルに隣接する前チャンネルの光スイッチへの前チャンネル印加電圧Ｖ１−と、自チャンネルに隣接する後チャンネルの光スイッチへの後チャンネル印加電圧Ｖ１＋とを記録する印加電圧レジスタであり、判定用データ記録装置は、自チャンネル印加電圧Ｖ１と前チャンネル印加電圧Ｖ１−との前隣接チャンネル電圧差Ｖｔｃ１と、印加電圧Ｖ１と印加電圧Ｖ１＋との後隣接チャンネル電圧差Ｖｔｃ２とを格納するレジスタと、前隣接チャンネル電圧差Ｖｔｃ１の絶対値と後隣接チャンネル電圧差Ｖｔｃ２の絶対値とを比較する比較装置と、前隣接チャンネル電圧差Ｖｔｃ１の絶対値と後隣接チャンネル電圧差Ｖｔｃ２の絶対値とのうち大きい方の隣接チャンネル電圧差を隣接チャンネル電圧差値Ｖｔｃに変換する変換装置と、隣接チャンネル電圧差値Ｖｔｃを隣接チャンネル差加算値Ｖｔｃｍに加算して隣接チャンネル差加算値を更新するＶｔｃｍレジスタとを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、Ｖｔｃｍ値を経過時間ＥＬ＿Ｔで除算して得られる値ＶｔｃｍＡを格納するＶｔｃｍＡレジスタと、ＶｔｃｍＡ値と所定の電極電圧印加判定用閾値ＶｔｃｍＡ＿ＴＨとを比較する比較装置とを備えており、ＥＬ＿Ｔレジスタ及びＶｔｃｍレジスタの値はそれぞれ、除算が終了すると所定の初期値にクリアされるようになっており、電極電圧印加装置は、ＶｔｃｍＡ値が所定の電極電圧印加判定用閾値ＶｔｃｍＡ＿ＴＨより小さい場合に切替情報に基づいて光スイッチの切替をするための電圧を光スイッチに印加するようにし、ＶｔｃｍＡ値が所定の電極電圧印加判定用閾値ＶｔｃｍＡ＿ＴＨ以上の場合には切替不成立通知を経路切替指示装置に通知するようにした。
【００２６】
本発明の第７の態様によれば、切替情報入力装置は、自チャンネルの光スイッチへの自チャンネル印加電圧Ｖ１と、自チャンネルに隣接する前チャンネルの光スイッチへの前チャンネル印加電圧Ｖ１−と、自チャンネルに隣接する後チャンネルの光スイッチへの後チャンネル印加電圧Ｖ１＋とを記録する印加電圧レジスタであり、判定用データ記録装置は、自チャンネル印加電圧Ｖ１と前チャンネル印加電圧Ｖ１−との前隣接チャンネル電圧差Ｖｔｃ１と、印加電圧Ｖ１と印加電圧Ｖ１＋との後隣接チャンネル電圧差Ｖｔｃ２とを格納するレジスタと、前隣接チャンネル電圧差Ｖｔｃ１の絶対値と隣接チャンネル差判定用閾値Ｖｔｃ＿ＴＨとを比較する第１の比較装置と、後隣接チャンネル電圧差Ｖｔｃ２の絶対値と隣接チャンネル差判定用閾値Ｖｔｃ＿ＴＨとを比較する第２の比較装置と、前隣接チャンネル電圧差Ｖｔｃ１の絶対値が隣接チャンネル差判定用閾値Ｖｔｃ＿ＴＨ以上で、且つ、後隣接チャンネル電圧差Ｖｔｃ２の絶対値が隣接チャンネル差判定用閾値Ｖｔｃ＿ＴＨ以上のときにスイッチ回数Ｓｗに１を加算してＳｗとするスイッチ回数カウンタとを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、スイッチ回数カウンタの値Ｓｗを経過時間ＥＬ＿Ｔで除算して得られる時間当たりのチャンネル間リーク処理用値ＳｗｃＡを格納するＳｗｃＡレジスタと、チャンネル間リーク処理用値ＳｗｃＡと所定のチャンネルリーク処理用電極電圧印加判定用回数閾値ＳｗｃＡ＿ＴＨとを比較する第３の比較装置とを備えており、ＥＬ＿Ｔレジスタ及びスイッチ回数カウンタの値はそれぞれ、除算が終了すると所定の初期値にクリアされるようになっており、電極電圧印加装置は、チャンネル間リーク処理用値ＳｗｃＡが所定のチャンネルリーク処理用電極電圧印加判定用回数閾値ＳｗｃＡ＿ＴＨより小さい場合に切替情報に基づいて光スイッチの切替をするための電圧を光スイッチに印加するようにし、チャンネル間リーク処理用値ＳｗｃＡが所定のチャンネルリーク処理用電極電圧印加判定用回数閾値ＳｗｃＡ＿ＴＨ以上の場合には切替不成立通知を経路切替指示装置に通知するようにした。
【００２７】
本発明の第８の態様によれば、切替情報入力装置は、自チャンネルの光スイッチへの自チャンネル印加電圧Ｖ１と、自チャンネルに隣接する前チャンネルの光スイッチへの前チャンネル印加電圧Ｖ１−と、自チャンネルに隣接する後チャンネルの光スイッチへの後チャンネル印加電圧Ｖ１＋とを記録する印加電圧レジスタであり、判定用データ記録装置は、自チャンネル印加電圧Ｖ１と前チャンネル印加電圧Ｖ１−との前隣接チャンネル電圧差Ｖｔｃ１と、印加電圧Ｖ１と印加電圧Ｖ１＋との後隣接チャンネル電圧差Ｖｔｃ２とを格納するレジスタと、前隣接チャンネル電圧差Ｖｔｃ１の絶対値と後隣接チャンネル電圧差Ｖｔｃ２の絶対値とを比較する比較装置と、前隣接チャンネル電圧差Ｖｔｃ１の絶対値と後隣接チャンネル電圧差Ｖｔｃ２の絶対値とのうち大きい方の隣接チャンネル電圧差を隣接チャンネル電圧差値Ｖｔｃに変換する変換装置と、隣接チャンネル電圧差値Ｖｔｃを隣接チャンネル差加算値Ｖｔｃｍに加算して隣接チャンネル差加算値を更新するＶｔｃｍレジスタとを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、隣接チャンネル電圧差値Ｖｔｃと該隣接チャンネル電圧差値Ｖｔｃから想定される発熱量を導く為の係数Ｗｖｔｃとの乗算値から経過時間ＥＬ＿Ｔと該経過時間ＥＬ＿Ｔから想定される自然発熱量を導く為の係数Ｗｓｗｃ＿ｌｏｓｓとの乗算値を減算して得られるチャンネルリーク用チャンネル切替時発熱算出値（ＷｖｔｃｍＡ値）を格納するＷｖｔｃｍＡレジスタと、ＷｖｔｃｍＡ値を所定のＷｖｔｃｍＡ用閾値ＷｖｔｃｍＡ＿ＴＨと比較する比較装置とを備えており、Ｖｔｃｍレジスタの値及びＥＬ＿Ｔレジスタの値はそれぞれ、減算が終了すると所定の初期値にクリアされるようになっており、電極電圧印加装置は、ＷｖｔｃｍＡ値が所定のＷｖｔｃｍＡ用閾値ＷｖｔｃｍＡ＿ＴＨより小さい場合に切替情報に基づいて光スイッチの切替をするための電圧を光スイッチに印加するようにし、ＷｖｔｃｍＡ値が所定のＷｖｔｃｍＡ用閾値ＷｖｔｃｍＡ＿ＴＨ以上の場合には切替不成立通知を経路切替指示装置に通知するようにした。
【００２８】
本発明の第９の態様によれば、切替情報入力装置は、自チャンネルの光スイッチへの自チャンネル印加電圧Ｖ１と、自チャンネルに隣接する前チャンネルの光スイッチへの前チャンネル印加電圧Ｖ１−と、自チャンネルに隣接する後チャンネルの光スイッチへの後チャンネル印加電圧Ｖ１＋とを記録する印加電圧レジスタであり、判定用データ記録装置は、自チャンネル印加電圧Ｖ１と前チャンネル印加電圧Ｖ１−との前隣接チャンネル電圧差Ｖｔｃ１と、印加電圧Ｖ１と印加電圧Ｖ１＋との後隣接チャンネル電圧差Ｖｔｃ２とを格納するレジスタと、前隣接チャンネル電圧差Ｖｔｃ１の絶対値と隣接チャンネル差判定用閾値Ｖｔｃ＿ＴＨとを比較する第１の比較装置と、後隣接チャンネル電圧差Ｖｔｃ２の絶対値と隣接チャンネル差判定用閾値Ｖｔｃ＿ＴＨとを比較する第２の比較装置と、前隣接チャンネル電圧差Ｖｔｃ１の絶対値が隣接チャンネル差判定用閾値Ｖｔｃ＿ＴＨ以上で、且つ、後隣接チャンネル電圧差Ｖｔｃ２の絶対値が隣接チャンネル差判定用閾値Ｖｔｃ＿ＴＨ以上のときにスイッチ回数Ｓｗに１を加算してＳｗとするスイッチ回数カウンタとを備えており、経過時間記録装置は経過時間ＥＬ＿Ｔを記録するＥＬ＿Ｔレジスタであり、切替判定処理装置は、経過時間ＥＬ＿Ｔが所定の集計時間閾値Ａｍ＿Ｔを超えたと判定した場合に、切替回数Ｓｗと該切替回数Ｓｗから想定される発熱量を導く為の係数Ｗｓｗｃとの乗算値から経過時間ＥＬ＿Ｔと該経過時間ＥＬ＿Ｔから想定される自然発熱量を導く為の係数Ｗｓｗｃ＿ｌｏｓｓとの乗算値を減算して得られるチャンネルリーク用チャンネル切替発熱算出値（ＷｓｗｃＡ値）を格納するＷａｗｃＡレジスタと、ＷｓｗｃＡ値を所定のＷｓｗｃＡ用閾値ＷｓｗｃＡ＿ＴＨと比較する比較装置とを備えており、Ｓｗレジスタの値及びＥＬ＿Ｔレジスタの値は減算が終了するとクリアされるようになっており、電極電圧印加装置は、ＷｓｗｃＡ値が所定のＷｓｗｃＡ用閾値ＷｓｗｃＡ＿ＴＨより小さい場合に切替情報に基づいて光スイッチの切替をするための電圧を光スイッチに印加するようにし、ＷｓｗｃＡ値が所定のＷｓｗｃＡ用閾値ＷｓｗＡ＿ＴＨ以上の場合には切替不成立通知を経路切替指示装置に通知するようにした。
【００２９】
本発明の第１０の態様によれば、電極電圧印加装置は、切替不成立通知を経路切替指示装置に通知する場合に、電極電圧の印加をオフにする手段、経路切替指示装置からの切替情報に依存しないで電極電圧をそのまま保持し続ける手段、電極にパス接続にとってはイレギュラーな印加電圧を印加し続ける手段のいずれかを備える。
【発明の効果】
【００３０】
本発明によれば、連続的で高速な切替要求に対して一定の基準で切替要求を拒否することにより、リーク電流の発生頻度を抑制することができるので、光スイッチの温度上場を抑え、ＥＯ−ＳＷを安定に制御し動作させることが出来る。
【発明を実施するための最良の形態】
【００３１】
以下、図面により本発明の実施の形態を詳述する。全図を通して同一参照番号は同一のものを示す。
【００３２】
図８は本発明の１実施の形態による多チャンネル光スイッチの制御装置の概略構成を示すブロック図である。同図において、８０１は経路切替指示装置、８０２は多チャンネル光スイッチの制御装置（ＥＯ−ＳＷ制御装置）である。ＥＯ−ＳＷ制御装置８０２は制御部８０３と駆動部８０４とモニタ部８０５と、入力側のチャンネル１の光スイッチ８１１及び８１２、チャンネル２の光スイッチ８２１及び８２２、…チャンネルＮの光スイッチ８Ｎ１及び８Ｎ２と、出力側の光スイッチ８１３及び８１４、チャンネル２の光スイッチ８２３及び８２５、…チャンネルＮの光スイッチ８Ｎ３及び８Ｎ４とを備えている。
【００３３】
図９は図８の一部の拡大図である。同図において、光スイッチ８１１〜８Ｎ４はグランド板８１と電極板８２の間に配置されており、駆動部８０４内の駆動素子９１、９２、９３、…９ｘから集線部９１を介して配線９１０が光スイッチ８１１〜８Ｎ３のそれぞれ電極に接続されている。
【００３４】
図１０は図８に示したＥＯ−ＳＷ制御装置８０２内の制御部８０３の構成を示すブロック図である。同図において、制御部８０３は、電気光学効果を持つデバイスを使用する多チャンネル光スイッチの各々の光スイッチの制御部である。制御部８０３は、経路切替指示装置８０１からの光スイッチの切替情報を入力する切替情報入力装置１０１と、切替情報が経路切替指示装置８０１から出力開始された時点からの経過時間ＥＬ＿Ｔを記録する経過時間記録装置１０２と、切替情報に基づいて光スイッチの切替が可能かどうかを判定するための判定用データを記録する判定用データ記録装置１０３と、経過時間ＥＬ＿Ｔが所定の集計時間閾値Ａｍ＿Ｔを超えたかどうかを判定する経過時間判定装置１０４と、経過時間判定装置の出力と判定用データ記録装置の出力とに基づいて切替判定をする切替判定処理装置１０５と、電極電圧印加装置１０６とを備え、経過時間判定装置１０４が、所定の集計時間閾値Ａｍ＿Ｔより経過時間ＥＬ＿Ｔが短いと判定した場合には、電極電圧印加装置１０６は切替情報に基づいて光スイッチの切替をするための電圧を印加し、経過時間判定装置１０４が、経過時間ＥＬ＿Ｔが所定の集計時間閾値Ａｍ＿Ｔを超えたと判定した場合には、切替判定処理装置１０５により所定の切替条件を満たした場合にのみ、電極電圧印加装置１０６により切替情報に基づいて光スイッチの切替をするための電圧を光スイッチに印加するようにし、切替判定処理装置１０５により所定の切替条件を満たしていないと判定された場合には、電極電圧印加装置１０６により光スイッチの切替をするための電圧をスイッチに印加しないようにすると共に、切替判定処理装置１０５から切替不成立通知を経路切替指示装置８０１に通知する。
【００３５】
図１１は図１０に示した制御部８０３の動作を説明するフローチャートである。同図において、経路切替指示装置８０１は切替情報出力ポート１１１と応答入力ポート１２３とを備えている。制御部８０３では、ステップ１１２にて切替情報出力ポート１１１からの切替情報を切替情報入力装置１０１に入力し、ステップ１１３にて切替情報に基づいて得られる判定用データを記録を判定用データ記録装置１０３に記録し、ステップ１１４にて切替情報が経路切替指示装置８０１から出力開始された時点からの経過時間ＥＬ＿Ｔを経過時間記録装置１０２に記録する。
【００３６】
次いでステップ１１５にて経過時間判定装置１０４により経過時間ＥＬ＿Ｔが所定の集計時間閾値Ａｍ＿Ｔを超えたかどうかを判定する。経過時間ＥＬ＿Ｔが集計時間閾値Ａｍ＿Ｔを超えた場合は、ステップ１１６にて切替判定処理装置１０５により切替判定処理を行う。このステップ１１６においては、ステップ１１６１にて切替判定処理装置１０５は判定用データ記録装置１０３内の切替判定用テーブル１１６２にアクセスして切替判定用データを参照し、その切替判定用データに基づいてステップ１１６３にて切替が許可されるか否かを判定する。否の場合は、ステップ１１６４にて切替不成立通知を経路切替指示装置８０１の応答入力ポート１２３に通知する。
【００３７】
ステップ１１６３で切替許可された場合及びステップ１１５にて経過時間ＥＬ＿Ｔが集計時間閾値Ａｍ＿Ｔを超えていない場合は、ステップ１１７にて対応する光スイッチの電極に電圧を印加する。この後は、従来同様に、ステップ１１８にて一定時間待機した後に、ステップ１１９にてモニタ処理を行い、ステップ１１９１にて接続データと実際に接続された電極との間の誤差がある一定範囲内にあるかどうかの誤差比較を行い、その誤差が一定範囲内であればステップ１１９２にて次の切替情報の入力待ちとなり、一定範囲外であればステップ１１９３にて対応する電極に対して印加する電圧の微調整を行った後に、ステップ１２１で次の切替情報の入力待ちとなる。
【００３８】
ステップ１１９１における誤差比較では、ＥＯ−ＳＷの経時変化や温度変動等の変動要因を補正し、印加した電圧が常時最適になる様な補正処理を行う。
【００３９】
図１２は図１１に示した処理による電圧印加とリーク電流の発生と光スイッチの発熱との関係を示すグラフ図である。同図において、（Ａ）に示すように、電極への印加電圧を時刻ｔ１からｔ２の間、ｔ３からｔ４間で停止することにより、（Ｂ）に示すようにそれらの間でのリーク電流の発生はなくなり、したがって、（Ｃ）に示すように光スイッチの温度は閾値ＴＨを超えることがなくなる。
【実施例１】
【００４０】
図１３は本発明の実施例１による多チャンネル光スイッチの制御装置の構成を示すブロック図である。同図において、図１０の切替情報入力装置１０１は切替情報入力装置１０１１で実現されており、光スイッチの切替前のパス接続で印加された電圧Ｖｔ１を記録する接続前パス接続電圧用レジスタ（Ｖｔ１レジスタ）１３１と、光スイッチの切替後のパス接続で印加された電圧Ｖ２を記録する接続後パス接続電圧様レジスタ（Ｖｔ２レジスタ）１３２とを備えている。
【００４１】
図１０の判定用データ記録装置１０３は本実施例１では判定用データ記録装置１０３１で実現されており、電圧Ｖｔ１と電圧Ｖｔ２との差の絶対値Ｖｔｓを記録する接続差一時記録用レジスタ（Ｖｔｓレジスタ）１３３と、Ｖｔｓレジスタに格納された値を切替チャンネル差加算値Ｖｔｓｍに加算して該切替チャンネル差加算値Ｖｔｓｍを更新する接続電圧さ蓄積用レジスタ（Ｖｔｓｍレジスタ）１３４とを備えている。
【００４２】
図１０の経過時間記録装置１０４は本実施例１では経過時間ＥＬ＿Ｔを記録する経過時間カウントアップ用レジスタ（ＥＬ＿Ｔレジスタ）１３５で実現されている。図１０の切替判定処理装置１０５は切替判定処理装置１０５１で実現されており、経過時間判定装置１３６が所定の集計時間閾値Ａｍ＿Ｔを超えたと判定した場合に、Ｖｔｓｍ値を経過時間ＥＬ＿Ｔで除算して得られる値ＶｔｓｍＡを格納する単位時間当たりの接続電圧差蓄積用レジスタ（ＶｔｓｍＡレジスタ）１３７と、ＶｔｓｍＡ値と所定の電極電圧印加判定用閾値Ｖｔｓｍａ＿ＴＨとを比較する比較装置１３８とを備えている。ＥＬ＿Ｔレジスタ１３５及びＶｔｓｍレジスタ１３４の値はそれぞれ、ＶｔｓｍＡレジスタ１３７に値ＶｔｓｍＡを格納するための上記除算が終了すると例えば０にクリアして初期化されるようになっている。
【００４３】
図１０の電極電圧印加装置１０６は本実施例では電極電圧印加装置１３９で実現されており、ＶｔｓｍＡレジスタ１３７内のＶｔｓｍＡ値が所定の電極電圧印加判定用閾値ＶｔｓｍＡ＿ＴＨより小さい場合に切替情報に基づいて光スイッチの切替をするための電圧を光スイッチに印加するようにし、ＶｔｓｍＡレジスタ１３７内のＶｔｓｍＡ値が所定の電極電圧印加判定用閾値ＶｔｓｍＡ＿ＴＨ以上の場合には切替不成立通知を経路切替指示装置に通知する。
【００４４】
図１４は図１３に示した実施例１による多チャンネル光スイッチの制御装置の動作を説明するフローチャートである。同図において、ステップ１４１にて切替情報出力ポート１１１からの切替情報を切替情報入力装置１０１１に入力し、ステップ１４２にて切替情報に基づいて切替前パス接続電圧ＶＴ１をＶｔ１レジスタ１３１に記録し且つ切替後パス接続電圧Ｖｔ２をＶｔ２レジスタ１３２に記録する。
【００４５】
次いでステップ１４３にて、ＶＴ１とＶＴ２の差の絶対値をＶｔｓレジスタ１３３に記録し、ステップ１４４にてＶｔｓ＋Ｖｔｓｍ＝Ｖｔｓｍの演算をしてＶｔｓｍレジスタ１３４の値を更新する。Ｖｔｓｍの初期値は例えば０である。次いでステップ１４５にて切替情報が経路切替指示装置８０１から出力開始された時点からの経過時間ＥＬ＿Ｔを経過時間記録装置（ＥＩ＿Ｔレジスタ）１０２に記録する。
【００４６】
次いでステップ１４６にて経過時間判定装置１３６により経過時間ＥＬ＿Ｔが所定の集計時間閾値Ａｍ＿Ｔを超えたかどうかを判定する。経過時間ＥＬ＿Ｔが集計時間閾値Ａｍ＿Ｔを超えた場合は、ステップ１４７にてＶｔｓｍをＥＩ＿Ｔで除算し、その結果ＶｔｓｍＡをＶｔｓｍＡレジスタ１３７に記録する。次いでステップ１４８にてＥＴ＿Ｔレジスタ１４５及びＶｔｓｍレジスタ１４４の値を例えば０にクリアして初期化する。
【００４７】
次いでステップ１４９にて、比較装置１３８によりＶｔｓｍＡ値を接続電圧差閾値ＶｔｓｍＡ＿ＴＨと比較し、ＶｔｓｍＡ＜ＶｔｓｍＡ＿ＴＨであればステップ１４９１にて対応する光スイッチの電極に電圧を印加する。ＶｔｓｍＡ≧ＶｔｓｍＡ＿ＴＨであればステップ１４９２にて電極電圧の印加をオフにし、ステップ１４９３にて切替不成立を経路切替指示装置８０１の応答入力ポート１２３に通知する。
【実施例２】
【００４８】
図１５は本発明の実施例２による多チャンネル光スイッチの制御装置の構成を示すブロック図である。同図において、図１０の切替情報入力装置１０１は本実施例２では光スイッチの切替回数Ｓｗを記録するＳｗレジスタ１５１で実現されている。図１０の経過時間記録装置１０２は本実施例２では実施例１と同じ経過時間ＥＬ＿Ｔを記録する経過時間ウントアップ用レジスタ（ＥＬ＿Ｔレジスタ）１５２で実現されており、図１０の判定用データ記録装置１０３は本実施例２では実施例１と同じＥＩ＿Ｔ＜Ａｍ＿ＴＨ比較装置１５３で実現されている。図１０の切替判定処理装置１０５は本実施例２では切替判定処理装置１０５２で実現されており、比較装置１５３が所定の集計時間閾値Ａｍ＿Ｔを超えたと判定した場合に、切替回数Ｓｗを経過時間ＥＬ＿Ｔで除算して得られるＳｗＡ値を格納する単位時間当たりの切替回数蓄積用レジスタ（ＳｗＡレジスタ）１５４と、ＳｗＡ値を所定の切替チャンネル回数閾値ＳｗＡ＿ＴＨと比較する比較装置１５５とを備えている。図１０の電極電圧印加装置１０６は本実施例２では電極電圧印加装置１５６で実現されている。
【００４９】
Ｓｗレジスタ１５１の値及びＥＬ＿Ｔレジスタ１５２の値はそれぞれ、ＳｗＡレジスタ１５４における除算が終了すると例えば０にクリアして初期化されるようになっている。電極電圧印加装置１５６は、ＳｗＡ値が所定の切替チャンネル回数閾値ＳｗＡ＿ＴＨより小さい場合に切替情報に基づいて光スイッチの切替をするための電圧を光スイッチに印加するようにし、ＳｗＡ値が所定の切替チャンネル回数閾値ＳｗＡ＿ＴＨ以上の場合には切替不成立通知を経路切替指示装置に通知する。
【００５０】
図１６は図１５に示した実施例２による多チャンネル光スイッチの制御装置の動作を説明するフローチャートである。同図において、ステップ１６１にて切替情報出力ポート１１１からの切替情報をＳｗレジスタ１５１に入力する。本実施例では切替情報は光スイッチが切り替わったことを知らせる情報のみである。次いでステップ１６２にて切替回数Ｓｗをインクリメントして更新する。即ち、所定のチャンネルに関してパスの切替情報が入力された後に、Ｓｗレジスタ１５１の値を１つ加算する。例えば、入力チャンネル１と出力チャンネル３との間でパスが張られている状態で、入力チャンネル１から出力者２に切替えられた場合は、Ｓｗレジスタ１５１の値が１だけ加算される。次いでステップ１６３にて切替情報が経路切替指示装置８０１から出力開始された時点からの経過時間ＥＬ＿Ｔを経過時間カウントアップ用レジスタ（ＥＩ＿Ｔレジスタ）１５２に記録する。
【００５１】
次いでステップ１６４にて経過時間判定装置１５３により経過時間ＥＬ＿Ｔが所定の集計時間閾値Ａｍ＿Ｔを超えたかどうかを判定する。経過時間ＥＬ＿Ｔが集計時間閾値Ａｍ＿Ｔを超えた場合は、ステップ１６５にて切替回数ＳｗをＥＩ＿Ｔで除算し、その結果ＳｗＡを単位時間当たりの切替え回数蓄積用レジスタ（ＳｗＡレジスタ）１５４に記録する。次いでステップ１６６にてＥＴ＿Ｔレジスタ１５２及びＳｗレジスタ１５１の値を例えば０にクリアして初期化する。
【００５２】
次いでステップ１６７にて、ＳｗＡ値を接続電圧差閾値ＳｗＡ＿ＴＨと比較し、ＳｗＡ＜ＳｗＡ＿ＴＨであればステップ１６８にて対応する光スイッチの電極に電圧を印加する。ＳｗＡ≧ＳｗＡ＿ＴＨであればステップ１６９にて電極電圧の印加をオフにし、ステップ１６９１にて切替不成立を経路切替指示装置８０１の応答入力ポート１２３に通知する。
【実施例３】
【００５３】
図１７は本発明の実施例３による多チャンネル光スイッチの制御装置の構成を示すブロック図である。同図において、図１３に示した実施例１における切替情報入力装置１０１１内のＶｔ１レジスタ１３１及びＶｔ２レジスタ１３２は、本実施例３における切替情報入力装置１０１３におけるＶｔ１レジスタ１７１及びＶｔ２レジスタ１７２と同じである。また、図１３に示した実施例１における判定用データ記録装置１０３１におけるＶｔｓレジスタ１３３及びＶｔｓｍレジスタ１３４は、本実施例３におけるＶｔｓレジスタ１７３及びＶｔｓｍレジスタ１７４と同じである。さらに、図１０おける経過時間記録装置１０２及び経過時間判定装置１０４はそれぞれ、実施例１と同じＥＩ＿Ｔレジスタ１７５及びＥＩ＿Ｔ＜Ａｍ＿ＴＨ比較装置１７６である。実施例１と実施例３との相違点は、本実施例３においては、実施例１における切替判定処理装置１０５１に替えて、別の構成の切替判定処理装置１０５３を備えている点である。図１０の電極電圧印加装置１０６は本実施例３では電極電圧印加装置１７９で実現されている。
【００５４】
本実施例３における切替判定処理装置１０５３は、経過時間判定装置１７６が所定の集計時間閾値Ａｍ＿Ｔを超えたと判定した場合に、切替チャンネル差加算値Ｖｔｓｍと該切替チャンネル差加算値Ｖｔｓｍから想定される自然放熱を導く為の係数Ｗｖｔ（Ｖｔｓｍを元にそこで発生するワッテージ換算を行う為の係数）との乗算値から経過時間ＥＬ＿Ｔと該経過時間ＥＬ＿Ｔから想定される自然法熱量を導く為の係数Ｗｖｔ＿ｌｏｓｓ（ＥＬ＿Ｔを元にそこで放熱するワッテージ換算を行う為の係数）を減算して得られるＷｖｔｓｍＡ値を格納する単位時間当たりのワッテージ蓄積用レジスタ（ＷｖｔｓｍＡレジスタ）１７７と、ＷｖｔｓｍＡ値を所定のＷｖｔｓｍＡ値用閾値ＷｖｔｓｍＡ＿ＴＨと比較する比較装置１７８とを備えている。
Ｖｔｓｍレジスタ１７４の値及びＥＬ＿Ｔレジスタ１７５の値はそれぞれ、ＷｖｔｓｍＡを得るための上記減算が終了すると例えば０にクリアして初期化されるようになっている。電極電圧印加装置１７９は、ＷｖｔｓｍＡ値が所定の電極電圧印加判定用閾値ＷｖｔｓｍＡ値用閾値ＷｖｔｓｍＡ＿ＴＨより小さい場合に切替情報に基づいて光スイッチの切替をするための電圧を光スイッチに印加し、ＷｖｔｓｍＡ値がＷｖｔｓｍＡ値用閾値ＷｖｔｓｍＡ＿ＴＨ以上の場合には切替不成立通知を経路切替指示装置に通知する。
【００５５】
図１８は図１７に示した実施例３による多チャンネル光スイッチの制御装置の動作を説明するフローチャートである。同図において、ステップ１８１からステップ１８６は図１４に示した実施例１におけるステップ１４１からステップ１４６と同じであり、ここでは説明を省略する。
【００５６】
本実施例３では、ステップ１８７にて、切替判定処理装置１０５３は、経過時間判定装置１７６が所定の集計時間閾値Ａｍ＿Ｔを超えたと判定した場合に、切替チャンネル差加算値Ｖｔｓｍと該切替チャンネル差加算値Ｖｔｓｍから想定される自然放熱を導く為の係数Ｗｖｔとの乗算値から経過時間ＥＬ＿Ｔと該経過時間ＥＬ＿Ｔから想定される自然法熱量を導く為の係数Ｗｖｔ＿ｌｏｓｓを減算し、その減算結果のＷｖｔｓｍＡ値をＷｖｔｓｍＡレジスタ１７７に格納する。
【００５７】
ＷｖｔｓｍＡ値を得るための上記減算が終了すると、ステップ１８８にて、Ｖｔｓｍレジスタ１８４の値及びＥＬ＿Ｔレジスタ１８５の値はそれぞれ例えば０にクリアして初期化される。次いでステップ１８９にてＷｖｔｓｍＡ値と所定の電極電圧印加判定用閾値ＷｖｔｓｍＡ値用閾値ＷｖｔｓｍＡ＿ＴＨとを比較装置１７８により比較し、ＷｖｔｓｍＡ値が所定の電極電圧印加判定用閾値ＷｖｔｓｍＡ値用閾値ＷｖｔｓｍＡ＿ＴＨより小さい場合に、ステップ１８９１にて切替情報に基づいて光スイッチの切替をするための電圧を光スイッチに印加し、ＷｖｔｓｍＡ値がＷｖｔｓｍＡ値用閾値ＷｖｔｓｍＡ＿ＴＨ以上の場合にはステップ１８９２にて電極電圧の印加をオフにし、次いでステップ１８９３にて切替不成立通知を経路切替指示装置８０１の応答入力ポート１２３に通知する。
【実施例４】
【００５８】
図１９は本発明の実施例４による多チャンネル光スイッチの制御装置の構成を示すブロック図である。同図において、Ｓｗレジスタ１９１、ＥＩ＿Ｔレジスタ１９２、及びＥＩ＿Ｔ＜Ａｍ＿ＴＨ比較装置１９３は、図１５に示して実施例２におけるＳｗレジスタ１５１、ＥＩ＿Ｔレジスタ１５２、及びＥＩ＿Ｔ＜Ａｍ＿ＴＨ比較装置１５３と同じであり、ここでは説明を省略する。図１０の電極電圧印加装置１０６は本実施例４では電極電圧印加装置１９６で実現されている。図１５に示した実施例２との相違点は、本実施例４においては、実施例２における切替判定処理装置１０５２に替えて、別の構成の切替判定処理装置１０５４を備えている点であり、他の構成は実施例２と同じである。
【００５９】
本実施例４における切替判定処理装置１０５４は、経過時間判定装置１９３が所定の集計時間閾値Ａｍ＿Ｔを超えたと判定した場合に、切替回数Ｓｗと該切替回数Ｓｗから想定される発熱量を導く為の係数Ｗｓｗ（Ｓｗを元にそこで発生するワッテージ換算を行うための係数）との乗算値から経過時間ＥＬ＿Ｔと該経過時間ＥＬ＿Ｔから想定される自然発熱量を導く為の係数Ｗｓｗ＿ｌｏｓｓ（ＥＬ＿Ｔを元にそこで放熱するワッテージ換算を行う為の係数）との乗算値を減算して得られるＷｓｗＡ値を格納する単位時間当たりのワッテージ蓄積用レジスタ（ＷｓｗＡレジスタ）１９４と、ＷｓｗＡ値を所定のＷｓｗＡ用閾値ＷｓｗＡ＿ＴＨと比較する比較装置１９５とを備えている。
【００６０】
図２０は図１９に示した実施例４による多チャンネル光スイッチの制御装置の動作を説明するフローチャートである。同図において、ステップ２０１からステップ２０４は図１６に示した実施例２におけるステップ１６１からステップ１６４と同じであり、ここでは説明を省略する。
【００６１】
本実施例４では、ステップ２０５にて、切替判定処理装置１０５４内のＷｓｗＡレジスタ１９４は、経過時間判定装置１９３が所定の集計時間閾値Ａｍ＿Ｔを超えたと判定した場合に、切替回数Ｓｗと該切替回数Ｓｗから想定される発熱量を導く為の係数Ｗｓｗとの乗算値から経過時間ＥＬ＿Ｔと該経過時間ＥＬ＿Ｔから想定される自然発熱量を導く為の係数Ｗｓｗ＿ｌｏｓｓとの乗算値を減算する。そして得られたＷｓｗＡ値をＷｓｗＡレジスタ１９４に記録する。次いでステップ２０６にてＳｗレジスタ１９１の値及びＥＬ＿Ｔレジスタ１９２の値はそれぞれ、上記減算が終了すると例えば０にクリアして初期化される。次いでステップ２０７にて、比較装置１９５は、ＷｓｗＡ値と所定のＷｓｗＡ用閾値ＷｓｗＡ＿ＴＨ  ＷｓｗＡ値とを比較する。ＷｓｗＡ値が所定のＷｓｗＡ用閾値ＷｓｗＡ＿ＴＨより小さい場合は、ステップ２０８にて切替情報に基づいて光スイッチの切替をするための電圧を光スイッチに印加する。ＷｓｗＡ値が所定のＷｓｗＡ用閾値ＷｓｗＡ＿ＴＨ以上の場合には、ステップ２０９にて電極電圧の印加をオフにし、次いでステップ２１０にて切替不成立通知を経路切替指示装置８０１内の応答入力ポート１２３に通知する。
【実施例５】
【００６２】
図２１は本発明の実施例５による多チャンネル光スイッチの制御装置の構成を示すブロック図である。同図において、図１０の切替情報入力装置１０１は本実施例５では切替情報入力装置１０１５で実現されており、自チャンネルの光スイッチへの自チャンネル印加電圧Ｖ１と、自チャンネルに隣接する前チャンネル（例えば自チャンネルをＣＨ３とすると隣接の前チャンネルはＣＨ２となる）の光スイッチへの前チャンネル印加電圧Ｖ１−と、自チャンネルに隣接する後チャンネル（例えば自チャンネルをＣＨ３とすると隣接する後チャンネルはＣＨ４）の光スイッチへの後チャンネル印加電圧Ｖ１＋とを一時的に記録する印加電圧レジスタを備えている。
【００６３】
また、図１０の判定用データ記録装置１０３は判定用データ記録装置１０３５で実現されており、自チャンネル印加電圧Ｖ１と前チャンネル印加電圧Ｖ１−との前隣接チャンネル電圧差Ｖｔｃ１と、印加電圧Ｖ１と印加電圧Ｖ１＋との後隣接チャンネル電圧差Ｖｔｃ２とを格納するレジスタ２１１０と、前隣接チャンネル電圧差Ｖｔｃ１の絶対値と後隣接チャンネル電圧差Ｖｔｃ２の絶対値とを比較する比較装置２１１１と、前隣接チャンネル電圧差Ｖｔｃ１の絶対値と後隣接チャンネル電圧差Ｖｔｃ２の絶対値とのうち大きい方の隣接チャンネル電圧差を隣接チャンネル電圧差値Ｖｔｃに変換する変換装置２１１２と、隣接チャンネル電圧差値Ｖｔｃを隣接チャンネル差加算値Ｖｔｃｍに加算して隣接チャンネル差加算値を更新するＶｔｃｍレジスタ２１１３とを備えている。
【００６４】
また、図１０の経過時間記録装置１０２は経過時間ＥＬ＿Ｔを記録する経過時間記録用レジスタ（ＥＬ＿Ｔレジスタ）２１１４で実現されており、図１０の経過時間判定装置はＥＩ＿Ｔ＜Ａｍ＿ＴＨを判定する比較装置２１１５で実現されている。切替判定処理装置１０５５は、経過時間判定装置２１１５が所定の集計時間閾値Ａｍ＿Ｔを超えたと判定した場合に、Ｖｔｃｍ値を経過時間ＥＬ＿Ｔで除算して得られる値ＶｔｃｍＡを格納する単位時間当たりの隣接チャンネル電位差蓄積用レジスタ（ＶｔｃｍＡレジスタ）２１１６と、ＶｔｃｍＡ値と所定の電極電圧印加判定用閾値ＶｔｃｍＡ＿ＴＨとを比較する比較装置２１１７とを備えている。図１０の電極電圧印加装置１０６は本実施例５では電極電圧印加装置２１１７で実現されている。
【００６５】
ＥＬ＿Ｔレジスタ２１１４及びＶｔｃｍレジスタ２１１３の値はそれぞれ、ＶｔｃｍＡ値を得るための上記除算が終了すると０にクリアして初期化されるようになっている。
電極電圧印加装置１０６は、ＶｔｃｍＡ値が所定の電極電圧印加判定用閾値Ｖｔｃｍａ＿ＴＨより小さい場合に切替情報に基づいて光スイッチの切替をするための電圧を光スイッチに印加するようにし、ＶｔｃｍＡ値が所定の電極電圧印加判定用閾値ＶｔｃｍＡ＿ＴＨ以上の場合には切替不成立通知を経路切替指示装置８０１に通知する。
【００６６】
図２２は図２１に示した実施例５による多チャンネル光スイッチの制御装置の動作を説明するフローチャートである。同図において、ステップ２２１０にて切替情報出力ポート１１１からの切替情報を経路切替指示装置８０１に入力し、ステップ２２１１にて、自チャンネルの光スイッチへの自チャンネル印加電圧Ｖ１と、自チャンネルに隣接する前チャンネルの光スイッチへの前チャンネル印加電圧Ｖ１−と、自チャンネルに隣接する後チャンネルの光スイッチへの後チャンネル印加電圧Ｖ１＋とを印加電圧レジスタ１０１２に記録する。次いでステップ２２１２にて、自チャンネル印加電圧Ｖ１と前チャンネル印加電圧Ｖ１−との前隣接チャンネル電圧差Ｖｔｃ１と、印加電圧Ｖ１と印加電圧Ｖ１＋との後隣接チャンネル電圧差Ｖｔｃ２とをレジスタ２１１０に格納する。
【００６７】
次いでステップ２２１３にて、比較装置２１１１により、前隣接チャンネル電圧差Ｖｔｃ１の絶対値と後隣接チャンネル電圧差Ｖｔｃ２の絶対値とを比較する。この比較の結果、｜Ｖｔｃ１｜＞｜Ｖｔｃ２｜であればステップ２２１４にて変換装置２１１２によりＶｔｃ１＝Ｖｔｃに変換し、｜Ｖｔｃ１｜≦｜Ｖｔｃ｜であればステップ２２１５にて変換装置２１１２によりＶｔｃ２＝Ｖｔｃに変換する。こうして得られたＶｔｃを基にしてステップ２２１６にてＶｔｃ＋Ｖｔｃｍ＝Ｖｔｃｍの演算をしてＶｔｃｍレジスタ２１１３の値を更新する。Ｖｔｃｍの初期値は例えば０である。次いでステップ２２１７にて切替情報が経路切替指示装置８０１から出力開始された時点からの経過時間ＥＬ＿ＴをＥＩ＿Ｔレジスタ２１１４に記録する。
【００６８】
次いでステップ２２１８にて経過時間判定装置２１１５により経過時間ＥＬ＿Ｔと所定閾値Ａｍ＿ＴＨとを比較する。ＥＬ＿ＴＨ＜Ａｍ＿ＴＨであれば、ステップ２２１９にて対応する光スイッチの電極に電圧を印加する。ＥＬ＿ＴＨ≧Ａｍ＿ＴＨであれば、ステップ２２２０にてＶｔｃｍを経過時間ＥＬ＿Ｔで除算して得られる値ＶｔｃｍＡを単位時間当たりの隣接チャンネル電位差蓄積用レジスタ（ＶｔｃｍＡ）レジスタ２１１６に記録する。次いでステップ２２２１にてＥＴ＿Ｔレジスタ２１１４及びＶｔｃｍレジスタ２１１３の値を例えば０にクリアして初期化する。
【００６９】
次いでステップ２２２２にて、比較装置２１１７によりＶｔｃｍＡ値を電極電圧印加判定用閾値ＶｔｃｍＡ＿ＴＨと比較し、ＶｔｃｍＡ＜ＶｔｃｍＡ＿ＴＨであればステップ２２１９にて対応する光スイッチの電極に電圧を印加する。ＶｔｃｍＡ≧ＶｔｃｍＡ＿ＴＨであればステップ２２２３にて電極電圧の印加をオフにし、ステップ２２２４にて切替不成立を経路切替指示装置８０１の応答入力ポート１２３に通知する。
【実施例６】
【００７０】
図２３は本発明の実施例６による多チャンネル光スイッチの制御装置の構成を示すブロック図である。同図において、切替情報入力装置１０１６は、実施例５における切替情報入力装置１０１５と同じであり、ここでは説明を省略する。また、判定用データ記録装置１０３６は、実施例５におけるレジスタ２１１０と同じレジスタ２３１０と、前隣接チャンネル電圧差Ｖｔｃ１の絶対値と隣接チャンネル差閾値Ｖｔｃ＿ＴＨとを比較する比較装置２３１１と、後隣接チャンネル電圧差Ｖｔｃ２の絶対値と隣接チャンネル差閾値Ｖｔｃ＿ＴＨとを比較する比較装置２３１２と、前隣接チャンネル電圧差Ｖｔｃ１の絶対値が隣接チャンネル差閾値Ｖｔｃ＿ＴＨ以上で且つ後隣接チャンネル電圧差Ｖｔｃ２の絶対値が隣接チャンネル差閾値Ｖｔｃ＿ＴＨ以上であれば、１を加算するカウンタである切替回数蓄積用レジスタ（Ｓｗレジスタ）２３１３とを備えている。
【００７１】
さらに、図１０における経過時間記録装置１０２は、本実施例６では、前隣接チャンネル電圧差Ｖｔｃ１の絶対値が隣接チャンネル差閾値Ｖｔｃ＿ＴＨ未満で且つ後隣接チャンネル電圧差Ｖｔｃ２の絶対値が隣接チャンネル差閾値Ｖｔｃ＿ＴＨ未満であれば経過時間ＥＬ＿Ｔを記録するＥＬ＿Ｔレジスタ２３１４で実現されており、図１０における経過時間判定装置１０４は実施例５における比較装置２１１５と同じＥＩ＿Ｔ＜Ａｍ＿ＴＨを判定する比較装置２３１５で実現されている。
【００７２】
さらに、図１０における切替判定処理装置１０５は、本実施例６では切替判定処理装置１０５６により実現されており、経過時間判定装置２３１５が経過時間ＥＬ＿Ｔが所定の集計時間閾値Ａｍ＿Ｔを超えたと判定した場合に、Ｓｗ値を経過時間ＥＬ＿Ｔで除算して得られる値ＳｗｃＡを格納するチャンネル間リーク処理用Ｓｗ回数記録用レジスタ（単位時間当たりの切替回数蓄積用レジスタ）（ＳｗｃＡレジスタ）２３１６と、ＳｗｃＡ値と所定の電極電圧印加判定用閾値(隣接チャンネル電位差閾値)ＳｗｃＡ＿ＴＨとを比較する比較装置２３１７とを備えている。
【００７３】
ＥＬ＿Ｔレジスタ２３１４及びＳｗレジスタ２３１３の値はそれぞれ、ＳｗｃＡ値を得るための上記除算が終了すると例えば０にクリアされて初期化されるようになっている。
電極電圧印加装置１０６は、ＳｗｃＡ値が所定の電極電圧印加判定用閾値ＳｗｃＡ＿ＴＨより小さい場合に切替情報に基づいて光スイッチの切替をするための電圧を光スイッチに印加するようにし、ＳｗｃＡ値が所定の電極電圧印加判定用閾値ＳｗｃＡ＿ＴＨ以上の場合には切替不成立通知を経路切替指示装置８０１に通知する。
【００７４】
図２４は図２３に示した実施例６による多チャンネル光スイッチの制御装置の動作を説明するフローチャートである。同図において、ステップ２４１にて切替情報出力ポート１１１からの切替情報を切替情報入力装置１０１２に入力し、ステップ２４２にて、自チャンネルの光スイッチへの自チャンネル印加電圧Ｖ１と、自チャンネルに隣接する前チャンネルの光スイッチへの前チャンネル印加電圧Ｖ１−と、自チャンネルに隣接する後チャンネルの光スイッチへの後チャンネル印加電圧Ｖ１＋とを印加電圧レジスタ２１１０に記録する。次いでステップ２４３にて、自チャンネル印加電圧Ｖ１と前チャンネル印加電圧Ｖ１−との前隣接チャンネル電圧差Ｖｔｃ１と、印加電圧Ｖ１と印加電圧Ｖ１＋との後隣接チャンネル電圧差Ｖｔｃ２とをレジスタ２１１０に格納する。
【００７５】
次いでステップ２４４にて、比較装置２３１０により、前隣接チャンネル電圧差Ｖｔｃ１の絶対値と隣接チャンネル差判定用閾値Ｖｔｃ＿ＴＨとを比較する。この比較の結果、｜Ｖｔｃ１｜＜Ｖｔｃ＿ＴＨであればステップ２４５にて後隣接チャンネル電圧差Ｖｔｃ２の絶対値と隣接チャンネル差判定用閾値Ｖｔｃ＿ＴＨとを比較する。この比較の結果も｜Ｖｔｃ２｜＜Ｖｔｃ＿ＴＨであれば、何もしないでステップ２４６にて切替情報が経路切替指示装置８０１から出力開始された時点からの経過時間ＥＬ＿Ｔを経過時間記録装置（ＥＩ＿Ｔレジスタ）１０２に記録する。
【００７６】
ステップ２４４で｜Ｖｔｃ１｜≦Ｖｔｃ＿ＴＨであり、ステップ２４５で｜Ｖｔｃ２｜≦Ｖｔｃ＿ＴＨであれば、ステップ２４７にてカウンタであるＳｗレジスタ２４７に１を加算してステップ２４６を実行する。次いでステップ２４８にて経過時間判定装置１０４によりＥＩ＿Ｔ＜Ａｍ＿ＴＨかを判定し、経過時間ＥＩ＿Ｔが所定の閾値Ａｍ＿ＴＨ未満であれば、ステップ２４９３にて電極電圧を印加し、ＥＩ＿Ｔ≧Ａｍ＿ＴＨであればステップ２４９４にて電極電圧の印加をオフにし、ステップ２４９５にて切替不成立通知を線路切替指示装置８０１の応答入力ポート１２３に通知する。
【実施例７】
【００７７】
図２５は本発明の実施例７による多チャンネル光スイッチの制御装置の構成を示すブロック図である。同図において、切替情報入力装置１０１７は図２１に示した実施例５の切替情報入力装置１０１５はと同じである。また、判定用データ記録装置１０３７も実施例５に示した判定用データ記録装置１０３５と同じ構成をしており、レジスタ２５１０、比較装置２５１１、変換装置２５１２、及びＶｔｃｍレジスタ２５１３を備えている。経過時間レジスタ２５１４及び経過時間判定装置２５も実施例５におけるものと同じである。
【００７８】
本実施例７においては、切替判定処理装置１０５７は、経過時間判定装置２５１５でＥＩ＿Ｔが所定の集計時間閾値Ａｍ＿Ｔを超えたと判定した場合に、隣接チャンネル電圧差値Ｖｔｃｍと該隣接チャンネル電圧差値Ｖｔｃｍから想定される発熱量を導く為の係数Ｗｖｔｃ（Ｖｔｃｍを元にそこで発生するワッテージ換算を行う為の係数）との乗算値から経過時間ＥＬ＿Ｔと該経過時間ＥＬ＿Ｔから想定される自然発熱量を導く為の係数Ｗｖｔｃ＿ｌｏｓｓ（ＥＬ＿Ｔを元にそこで不熱するワッテージ換算を行う為の係数）との乗算値を減算して得られるＷｖｔｃｍＡ値を格納する単位時間当たりのワッテージ蓄積用レジスタ（ＷｖｔｃｍＡレジスタ）２５１６と、ＷｖｔｃｍＡ値を所定のＷｖｔｃｍＡ用閾値ＷｖｔｃｍＡ＿ＴＨと比較する比較装置２５１７とを備えており、Ｖｔｃｍレジスタ２１１３の値及びＥＬ＿Ｔレジスタ２５１４の値はそれぞれ、ＷｖｔｃｍＡ値を得る上記減算が終了すると例えば０の初期値にクリアされるようになっており、電極電圧印加装置２５１９は、ＷｖｔｃｍＡ値が所定のＷｖｔｃｍＡ用閾値(ワッテージ閾値)ＷｖｔｃｍＡ＿ＴＨより小さい場合に切替情報に基づいて光スイッチの切替をするための電圧を光スイッチに印加するようにし、ＷｖｔｃｍＡ値が所定のＷｖｔｃｍＡ用閾値ＷｖｔｃｍＡ＿ＴＨ以上の場合には切替不成立通知を経路切替指示装置８０１に通知する。
【００７９】
図２６は図２５に示した実施例７による多チャンネル光スイッチの制御装置の動作を説明するフローチャートである。同図において、ステップ２６１〜２６９は図２２に示した実施例５におけるステップ２２１０〜２２１８と同じであり、ここでは説明を省略する。
【００８０】
本実施例７においては、ステップ２６９１にて、隣接チャンネル電圧差値Ｖｔｃｍと該隣接チャンネル電圧差値Ｖｔｃから想定される発熱量を導く為の係数Ｗｖｔｃとの乗算値から経過時間ＥＬ＿Ｔと該経過時間ＥＬ＿Ｔから想定される自然発熱量を導く為の係数Ｗｖｔｃ＿ｌｏｓｓとの乗算値を減算して得られたＷｖｔｃｍＡ値をＷｖｔｃｍＡレジスタ２５１６に格納する。次いでステップ２６９２にて、Ｖｔｃｍレジスタ２１１３及びＥＩ＿Ｔレジスタ２１１４の内容を例えば０にクリアして初期化する。次いでステップ２６９３にて、比較装置２５１７によりＷｃｍＡとＷｃｍＡ＿ＴＨとを比較し、ＷｃｍＡ＜ＷｃｍＡ＿ＴＨであればステップ２６９４にて電極電圧を印加し、ＷｃｍＡ≧ＷｃｍＡ＿ＴＨであればステップ２６９５にて電極電圧の印加をオフにし、ステップ２６９７にて切替不成立通知を線路切替指示装置８０１の応答入力ポート１２３に通知する。
【実施例８】
【００８１】
図２７は本発明の実施例８による多チャンネル光スイッチの制御装置の構成を示すブロック図である。同図において、切替情報入力装置１０１８は図２３に示した実施例６の切替情報入力装置１０１６と同じである。また、判定用データ記録装置１０３８も実施例６に示した判定用データ記録装置１０３６と同じ構成をしており、レジスタ２７０、比較装置２７１、変換装置２７２、及びスイッチ回数カウンタであるＳｗレジスタ２７３を備えている。経過時間レジスタ２７４及び経過時間判定装置２７５も実施例６におけるものと同じである。
【００８２】
本実施例８においては、図１０における切替判定処理装置１０５は切替判定処理装置１０５８により実現されており、経過時間判定装置２７５が所定の集計時間閾値Ａｍ＿Ｔを超えたと判定した場合に、切替回数Ｓｗと該切替回数Ｓｗから想定される発熱量を導く為の係数Ｗｓｗｃとの乗算値から経過時間ＥＬ＿Ｔと該経過時間ＥＬ＿Ｔから想定される自然発熱量を導く為の係数Ｗｓｗｃ＿ｌｏｓｓとの乗算値を減算して得られるＷｓｗｃＡ値を格納する単位時間当たりのワッテージ蓄積用レジスタ（ＷｓｗｃＡレジスタ）２７６と、ＷｓｗｃＡ値を所定のワッテージ閾値（ＷｓｗｃＡ用閾値）ＷｓｗｃＡ＿ＴＨと比較する比較装置２７７とを備えている。Ｓｗレジスタ２７３の値及びＥＬ＿Ｔレジスタの値はＷｓｗｃＡ値を得るための上記減算が終了すると例えば０にクリアして初期化されるようになっている。電極電圧印加装置２７８は、ＷｓｗｃＡ値が所定のＷｓｗｃＡ用閾値ＷｓｗｃＡ＿ＴＨより小さい場合に切替情報に基づいて光スイッチの切替をするための電圧を光スイッチに印加するようにし、ＷｓｗｃＡ値が所定のＷｓｗｃＡ用閾値ＷｓｗＡ＿ＴＨ以上の場合には切替不成立通知を経路切替指示装置に通知する。
【００８３】
図２８は図２７に示した実施例８による多チャンネル光スイッチの制御装置の動作を説明するフローチャートである。同図において、ステップ２８１〜２８８は図２４に示した実施例６におけるステップ２４１〜２４８と同じであり、ここでは説明を省略する。
【００８４】
本実施例８では、ステップ２８９にて、経過時間判定装置２７５が所定の集計時間閾値Ａｍ＿Ｔを超えたと判定した場合に、切替回数Ｓｗと該切替回数Ｓｗから想定される発熱量を導く為の係数Ｗｓｗｃとの乗算値から経過時間ＥＬ＿Ｔと該経過時間ＥＬ＿Ｔから想定される自然発熱量を導く為の係数Ｗｓｗｃ＿ｌｏｓｓとの乗算値を減算し得られるＷｓｗｃＡ値をＷａｗｃＡレジスタ２７６に格納する。次いでステップ２８９１にてＳｗレジスタ２７３及びＥＩ＿Ｔレジスタ２７４の値を０にクリアし、ステップ２８９３にて比較装置２７７によりＷｘｗｃＡ＜ＷｓｗｃＡ＿ＴＨかを判断する。ＷｘｗｃＡ＜ＷｓｗｃＡ＿ＴＨであればステップ２８９３にて電極電圧を印加し、Ｗｘｗｃ≧ＷｓｗｃＡ＿ＴＨであればステップ２８９４にて電極電圧の印加をオフにし、ステップ２８９５にて切替不成立通知を線路切替指示装置８０１の応答入力ポート１２３に通知する。
【００８５】
以上に説明した実施例１〜８において、レジスタを０にクリアする替りに、所定の初期値にクリアするようにしてもよい。
【実施例９】
【００８６】
図２９は本発明の実施例１〜８における切替判定処理装置における判定の結果、所定の閾値以上であった場合に電極電圧の印加をオフにする手段２９を示す図である。図３０〜３２は本発明の実施例９により、実施例１〜８における手段２９に替えて他の手段を用いる例を示す図である。即ち、本発明は図２９に示す手段２９に限定されるものではなく、本発明の実施例９により、図３０に示すように、電極電圧の印加をオフにする替りに、切替情報に（依存しないで電極電圧をそのまま保持し続ける手段３０により電極電圧を変化させないようにしてもよい。
【００８７】
また、図３１に示すように、本発明の実施例１〜８における切替判定処理装置１０５における判定の結果、電極電圧の印加をオフにする替りに、イレギュラー電圧を印加し続ける手段３１を設けてもよい。例えば、入力チャンネルがチャンネル１の場合、チャンネル１よりも前側（例えば、チャンネル０相当）に偏光する様な印加電圧、あるいはチャンネル８よりも後（例えばチャンネル９相当）に偏光する様な印加電圧、あるいは任意のチャンネル間（パスの中間値（例えばチャンネル２とチャンネル３の中間のチャンネル２．５辺り）に偏光する様な印加電圧等）を継続して印加し続けつつ、切替不成立を経路切替指示装置８０１に通知する処理を行うようにしてもよい。
【００８８】
さらに、実施例５〜８においては、図３２に示すように、電極電圧の印加をオフにする替りに、隣接電極の駆動回路の出力をハイインピーダンスに制御する手段３２を設け、それにより、配線間のリーク電流の発生を抑制しつつ、隣接チャンネルの切替不成立を経路切替指示装置８０１へ通知するようにしてもよい。
【実施例１０】
【００８９】
図３３は本発明の実施例１０による多チャンネル光スイッチの制御装置の構成の一部を示すブロック図である。同図において、本実施例１０では、切替判定処理装置１０５により「切替不成立通知」を経路切替指示装置８０１に通知する際に、切替受入を許容するある限定的な条件を一緒に通知するための再接続予想時間通知手段３３を設けた。これにより、経路切替指示装置８０１からの切替情報を絞り込み、一定の切替抑制によりスイッチの負荷軽減を行う。
【実施例１１】
【００９０】
図３４は本発明の実施例１１による多チャンネル光スイッチの制御装置の構成の一部を示すブロック図である。同図において、本実施例１１では、実施例１０において、「ある限定的な条件」として、切替を許容するパスの組合せの情報又は切替を許容する切替情報入力の時間的な間隔の情報を用い、この情報を通知するための切替受入許容情報通知手段３４を設けた。
【実施例１２】
【００９１】
図３５は本発明の実施例１２を説明するための入出力チャンネルと単位電圧との関係を説明する表図であり、図３６は図３５に示した表図に基づくパスの向きと単位電圧の極性の関係を説明する図である。
【００９２】
上記実施例１、３、５〜１１の処理において、レジスタに記録される電圧値として、オペアンプ等から出力される印加したアナログ電圧値をダイレクトに処理し記録することに替えて、図３５に示す単位電圧を用いれば、処理及び記録の取り扱いが簡単化される。即ち、入力チャンネルが１、出力チャンネルも１のパスＰ１におけるレジスタに記録される電圧は０Ｖ、入力チャンネルが１で出力チャンネルが２のパスＰ２におけるレジスタに記録される電圧は１Ｖ、等と予め定めておく。そして、図３６に示すように、例えば、パスＰ６を設定する場合は、図３５の表図から単位電圧は−１Ｖとなり、パスＰ５を設定する場合は単位電圧は−４Ｖとなり、パスＰ２２を設定する場合は単位電圧は−３Ｖとなる。
【００９３】
（付記１）電気光学効果を持つデバイスを使用する多チャンネル光スイッチの各々の光スイッチの制御装置であって、
経路切替指示装置からの前記光スイッチの切替情報を入力する切替情報入力装置と、前記切替情報が前記経路切替指示装置から出力開始された時点からの経過時間ＥＬ＿Ｔを記録する経過時間記録装置と、
前記切替情報に基づいて前記光スイッチの切替が可能かどうかを判定するための判定用データを記録する判定用データ記録装置と、前記経過時間ＥＬ＿Ｔが所定の集計時間閾値Ａｍ＿Ｔを超えたかどうかを判定する経過時間判定装置と、
前記経過時間判定装置の出力と前記判定用データ記録装置の出力とに基づいて切替判定をする切替判定処理装置と、
電極電圧印加装置とを備え、
前記経過時間判定装置が、前記所定の集計時間閾値Ａｍ＿Ｔより前記経過時間ＥＬ＿Ｔが短いと判定した場合には、前記電極電圧印加装置は前記切替情報に基づいて前記光スイッチの切替をするための電圧を印加し、
前記経過時間判定装置が、前記経過時間ＥＬ＿Ｔが前記所定の集計時間閾値Ａｍ＿Ｔを超えたと判定した場合には、前記切替判定処理装置により所定の切替条件を満たした場合にのみ、前記電極電圧印加装置により前記切替情報に基づいて前記光スイッチの切替をするための電圧を前記光スイッチに印加するようにし、前記切替判定処理装置により所定の切替条件を満たしていないと判定された場合には、前記電極電圧印加装置により前記光スイッチの切替をするための電圧を前記光スイッチに印加しないようにすると共に、前記切替判定処理装置から切替不成立通知を前記経路切替指示装置に通知するようにした事を特徴とする、多チャンネル光スイッチの制御装置。
（付記２）前記切替情報入力装置は、前記光スイッチの切替前のパス接続で印加された電圧Ｖｔ１を記録するＶｔ１レジスタと、前記光スイッチの切替後のパス接続で印加された電圧Ｖ２を記録するＶｔ２レジスタとを備えており、
前記判定用データ記録装置は、前記電圧Ｖｔ１と前記電圧Ｖｔ２との差の絶対値Ｖｔｓを記録するＶｔｓレジスタと、前記Ｖｔｓレジスタに格納された値を切替チャンネル差加算値Ｖｔｓｍに加算して該切替チャンネル差加算値Ｖｔｓｍを更新するＶｔｓｍレジスタとを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記Ｖｔｓｍ値を前記経過時間ＥＬ＿Ｔで除算して得られる値ＶｔｓｍＡを格納するＶｔｓｍＡレジスタと、前記ＶｔｓｍＡ値と所定の電極電圧印加判定用閾値ＶｔｓｍＡ＿ＴＨとを比較する比較装置とを備えており、
前記ＥＬ＿Ｔレジスタ及び前記Ｖｔｓｍレジスタの値はそれぞれ、前記除算が終了すると所定の初期値にクリアされるようになっており、
前記電極電圧印加装置は、前記ＶｔｓｍＡ値が前記所定の電極電圧印加判定用閾値ＶｔｓｍＡ＿ＴＨより小さい場合に前記切替情報に基づいて前記光スイッチの切替をするための電圧を前記光スイッチに印加するようにし、前記ＶｔｓｍＡ値が前記所定の電極電圧印加判定用閾値ＶｔｓｍＡ＿ＴＨ以上の場合には切替不成立通知を前記経路切替指示装置に通知するようにした事を特徴とする、付記１に記載の多チャンネル光スイッチの制御装置。
（付記３）
前記切替情報入力装置及び前記判定用データ記録装置は前記光スイッチの切替回数Ｓｗを記録するＳｗレジスタを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記切替回数Ｓｗを前記経過時間ＥＬ＿Ｔで除算して得られるＳｗＡ値を格納するＳｗＡレジスタと、前記ＳｗＡ値を所定の電極電圧印加判定用閾値ＳｗＡ＿ＴＨと比較する比較装置とを備えており、
前記Ｓｗレジスタの値及び前記ＥＬ＿Ｔレジスタの値はそれぞれ、前記除算が終了すると所定の初期値にクリアされるようになっており、
前記電極電圧印加装置は、前記ＳｗＡ値が前記所定の電極電圧印加判定用閾値ＳｗＡ＿ＴＨより小さい場合に前記切替情報に基づいて前記光スイッチの切替をするための電圧を前記光スイッチに印加するようにし、前記ＳｗＡ値が前記所定の電極電圧印加判定用閾値ＳｗＡ＿ＴＨ以上の場合には切替不成立通知を前記経路情報切替指示装置に通知するようにした事を特徴とする、付記１に記載の多チャンネル光スイッチの制御装置。
（付記４）
前記切替情報入力装置は、前記光スイッチの切替前のパス接続で印加された電圧Ｖｔ１を記録するＶｔ１  レジスタと、前記光スイッチの切替後のパス接続で印加された電圧Ｖ２を記録するＶｔ２レジスタとを備えており、
前記判定用データ記録装置は、前記電圧Ｖｔ１と前記電圧Ｖｔ２との差の絶対値Ｖｔｓを記録するＶｔｓレジスタと、前記Ｖｔｓレジスタに格納された値を切替チャンネル差加算値Ｖｔｓｍに加算してチャンネル差加算値Ｖｔｓｍを更新するＶｔｓｍレジスタとを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記切替チャンネル差加算値Ｖｔｓｍと該切替チャンネル差加算値Ｖｔｓｍから想定される自然放熱を導く為の係数Ｗｖｔとの乗算値から前記経過時間ＥＬ＿Ｔと該経過時間ＥＬ＿Ｔから想定される自然法熱量を導く為の係数Ｗｖｔ＿ｌｏｓｓとの乗算値を減算して得られるチャンネル切替時発熱算出値（ＷｖｔｓｍＡ値）を格納するＷｖｔｓｍＡレジスタと、前記ＷｖｔｓｍＡ値を所定のＷｖｔｓｍＡ値用閾値ＷｖｔｓｍＡ＿ＴＨと比較する比較装置とを備えており、
前記Ｖｔｓｍレジスタの値及び前記ＥＬ＿Ｔレジスタの値はそれぞれ、前記減算が終了すると所定の初期値にクリアされるようになっており、
前記電極電圧印加装置は、前記ＷｖｔｓｍＡ値が前記所定の電極電圧印加判定用閾値ＷｖｔｓｍＡ値用閾値ＷｖｔｓｍＡ＿ＴＨより小さい場合に前記切替情報に基づいて前記光スイッチの切替をするための電圧を前記光スイッチに印加するようにし、前記ＷｖｔｓｍＡ値が前記ＷｖｔｓｍＡ値用閾値ＷｖｔｓｍＡ＿ＴＨ以上の場合には切替不成立通知を前記経路情報切替指示装置に通知するようにした事を特徴とする、付記１に記載の多チャンネル光スイッチの制御装置。
（付記５）
前記切替情報入力装置及び前記判定用データ記録装置は前記光スイッチの切替回数Ｓｗを記録するＳｗレジスタを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記切替回数Ｓｗと該切替回数Ｓｗから想定される発熱量を導く為の係数Ｗｓｗとの乗算値から前記経過時間ＥＬ＿Ｔと該経過時間ＥＬ＿Ｔから想定される自然発熱量を導く為の係数Ｗｓｗ＿ｌｏｓｓとの乗算値を減算して得られるＷｓｗＡ値を格納するＷｓｗＡレジスタと、前記ＷｓｗＡ値を所定のＷｓｗＡ用閾値ＷｓｗＡ＿ＴＨと比較する比較装置とを備えており、
前記Ｓｗレジスタの値及び前記ＥＬ＿Ｔレジスタの値はそれぞれ、前記減算が終了すると所定の初期値にクリアされるようになっており、
前記電極電圧印加装置は、前記ＷｓｗＡ値が前記所定のＷｓｗＡ用閾値ＷｓｗＡ＿ＴＨより小さい場合に前記切替情報に基づいて前記光スイッチの切替をするための電圧を前記光スイッチに印加するようにし、前記ＷｓｗＡ値が前記所定のＷｓｗＡ用閾値ＷｓｗＡ＿ＴＨ以上の場合には切替不成立通知を前記経路情報切替指示装置に通知するようにした事を特徴とする、付記１に記載の多チャンネル光スイッチの制御装置。
（付記６）
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と前記後隣接チャンネル電圧差Ｖｔｃ２の絶対値とを比較する比較装置と、前記前隣接チャンネル電圧差Ｖｔｃ１の絶対値と前記後隣接チャンネル電圧差Ｖｔｃ２の絶対値とのうち大きい方の隣接チャンネル電圧差を隣接チャンネル電圧差値Ｖｔｃに変換する変換装置と、前記隣接チャンネル電圧差値Ｖｔｃを隣接チャンネル差加算値Ｖｔｃｍに加算して隣接チャンネル差加算値を更新するＶｔｃｍレジスタとを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記Ｖｔｃｍ値を前記経過時間ＥＬ＿Ｔで除算して得られる値ＶｔｃｍＡを格納するＶｔｃｍＡレジスタと、前記ＶｔｃｍＡ値と所定の電極電圧印加判定用閾値ＶｔｃｍＡ＿ＴＨとを比較する比較装置とを備えており、
前記ＥＬ＿Ｔレジスタ及び前記Ｖｔｃｍレジスタの値はそれぞれ、前記除算が終了すると所定の初期値にクリアされるようになっており、
前記電極電圧印加装置は、前記ＶｔｃｍＡ値が前記所定の電極電圧印加判定用閾値ＶｔｃｍＡ＿ＴＨより小さい場合に前記切替情報に基づいて前記光スイッチの切替をするための電圧を前記光スイッチに印加するようにし、前記ＶｔｃｍＡ値が前記所定の電極電圧印加判定用閾値ＶｔｃｍＡ＿ＴＨ以上の場合には切替不成立通知を前記経路情報切替指示装置に通知するようにした事を特徴とする、付記１に記載の多チャンネル光スイッチの制御装置。
（付記７）
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と隣接チャンネル差判定用閾値Ｖｔｃ＿ＴＨとを比較する第１の比較装置と、前記後隣接チャンネル電圧差Ｖｔｃ２の絶対値と前記隣接チャンネル差判定用閾値Ｖｔｃ＿ＴＨとを比較する第２の比較装置と、前記前隣接チャンネル電圧差Ｖｔｃ１の絶対値が前記隣接チャンネル差判定用閾値Ｖｔｃ＿ＴＨ以上で、且つ、前記後隣接チャンネル電圧差Ｖｔｃ２の絶対値が前記隣接チャンネル差判定用閾値Ｖｔｃ＿ＴＨ以上のときにスイッチ回数Ｓｗに１を加算してＳｗとするスイッチ回数カウンタとを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記スイッチ回数カウンタの値Ｓｗを前記経過時間ＥＬ＿Ｔで除算して得られる時間当たりのチャンネル間リーク処理用値ＳｗｃＡを格納するＳｗｃＡレジスタと、前記チャンネル間リーク処理用値ＳｗｃＡと所定のチャンネルリーク処理用電極電圧印加判定用回数閾値ＳｗｃＡ＿ＴＨとを比較する第３の比較装置とを備えており、
前記ＥＬ＿Ｔレジスタ及び前記スイッチ回数カウンタの値はそれぞれ、前記除算が終了すると所定の初期値にクリアされるようになっており、
前記電極電圧印加装置は、前記チャンネル間リーク処理用値ＳｗｃＡが前記所定のチャンネルリーク処理用電極電圧印加判定用回数閾値ＳｗｃＡ＿ＴＨより小さい場合に前記切替情報に基づいて前記光スイッチの切替をするための電圧を前記光スイッチに印加するようにし、前記チャンネル間リーク処理用値ＳｗｃＡが前記所定のチャンネルリーク処理用電極電圧印加判定用回数閾値ＳｗｃＡ＿ＴＨ以上の場合には切替不成立通知を前記経路情報切替指示装置に通知するようにした事を特徴とする、付記１に記載の多チャンネル光スイッチの制御装置。
（付記８）
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と前記後隣接チャンネル電圧差Ｖｔｃ２の絶対値とを比較する比較装置と、前記前隣接チャンネル電圧差Ｖｔｃ１の絶対値と前記後隣接チャンネル電圧差Ｖｔｃ２の絶対値とのうち大きい方の隣接チャンネル電圧差を隣接チャンネル電圧差値Ｖｔｃに変換する変換装置と、前記隣接チャンネル電圧差値Ｖｔｃを隣接チャンネル差加算値Ｖｔｃｍに加算して隣接チャンネル差加算値を更新するＶｔｃｍレジスタとを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記隣接チャンネル電圧差値Ｖｔｃと該前記隣接チャンネル電圧差値Ｖｔｃから想定される発熱量を導く為の係数Ｗｖｔｃとの乗算値から前記経過時間ＥＬ＿Ｔと該経過時間ＥＬ＿Ｔから想定される自然発熱量を導く為の係数Ｗｓｗｃ＿ｌｏｓｓとの乗算値を減算して得られるチャンネルリーク用チャンネル切替時発熱算出値（ＷｖｔｃｍＡ値）を格納するＷｖｔｃｍＡレジスタと、前記ＷｖｔｃｍＡ値を所定のＷｖｔｃｍＡ用閾値ＷｖｔｃｍＡ＿ＴＨと比較する比較装置とを備えており、
前記Ｖｔｃｍレジスタの値及び前記ＥＬ＿Ｔレジスタの値はそれぞれ、前記減算が終了すると所定の初期値にクリアされるようになっており、
前記電極電圧印加装置は、前記ＷｖｔｃｍＡ値が前記所定のＷｖｔｃｍＡ用閾値ＷｖｔｃｍＡ＿ＴＨより小さい場合に前記切替情報に基づいて前記光スイッチの切替をするための電圧を前記光スイッチに印加するようにし、前記ＷｖｔｃｍＡ値が前記所定のＷｖｔｃｍＡ用閾値ＷｖｔｃｍＡ＿ＴＨ以上の場合には切替不成立通知を前記経路情報切替指示装置に通知するようにした事を特徴とする、付記１に記載の多チャンネル光スイッチの制御装置。
（付記９）
前記切替情報入力装置は、自チャンネルの光スイッチへの自チャンネル印加電圧Ｖ１と、前記自チャンネルに隣接する前チャンネルの光スイッチへの前チャンネル印加電圧Ｖ１−と、前記自チャンネルに隣接する後チャンネルの光スイッチへの後チャンネル印加電圧Ｖ１＋とを記録する印加電圧レジスタであり、
前記判定用データ記録装置は、前記自チャンネル印加電圧Ｖ１と前記前チャンネル印加電圧Ｖ１−との前隣接チャンネル電圧差Ｖｔｃ１と、前記印加電圧Ｖ１と前記印加電圧Ｖ１＋との後隣接チャンネル電圧差Ｖｔｃ２とを格納するレジスタと、前記前隣接チャンネル電圧差Ｖｔｃ１の絶対値と隣接チャンネル差判定用閾値Ｖｔｃ＿ＴＨとを比較する第１の比較装置と、前記後隣接チャンネル電圧差Ｖｔｃ２の絶対値と前記隣接チャンネル差判定用閾値Ｖｔｃ＿ＴＨとを比較する第２の比較装置と、前記前隣接チャンネル電圧差Ｖｔｃ１の絶対値が前記隣接チャンネル差判定用閾値Ｖｔｃ＿ＴＨ以上で、且つ、前記後隣接チャンネル電圧差Ｖｔｃ２の絶対値が前記隣接チャンネル差判定用閾値Ｖｔｃ＿ＴＨ以上のときにスイッチ回数Ｓｗに１を加算してＳｗとするスイッチ回数カウンタとを備えており、
前記経過時間記録装置は前記経過時間ＥＬ＿Ｔを記録するＥＬ＿Ｔレジスタであり、
前記切替判定処理装置は、前記経過時間判定装置が前記所定の集計時間閾値Ａｍ＿Ｔを超えたと判定した場合に、前記切替回数Ｓｗと該切替回数Ｓｗから想定される発熱量を導く為の係数Ｗｓｗｃとの乗算値から前記経過時間ＥＬ＿Ｔと該経過時間ＥＬ＿Ｔから想定される自然発熱量を導く為の係数Ｗｓｗｃ＿ｌｏｓｓとの乗算値を減算して得られるチャンネルリーク用チャンネル切替発熱算出値（ＷｓｗｃＡ値）を格納するＷａｗｃＡレジスタと、前記ＷｓｗｃＡ値を所定のＷｓｗｃＡ用閾値ＷｓｗｃＡ＿ＴＨと比較する比較装置とを備えており、
前記Ｓｗレジスタの値及び前記ＥＬ＿Ｔレジスタの値は前記減算が終了するとクリアされるようになっており、
前記電極電圧印加装置は、前記ＷｓｗｃＡ値が前記所定のＷｓｗｃＡ用閾値ＷｓｗｃＡ＿ＴＨより小さい場合に前記切替情報に基づいて前記光スイッチの切替をするための電圧を前記光スイッチに印加するようにし、前記ＷｓｗｃＡ値が前記所定のＷｓｗｃＡ用閾値ＷｓｗＡ＿ＴＨ以上の場合には切替不成立通知を前記経路情報切替指示装置に通知するようにした事を特徴とする、付記１に記載の多チャンネル光スイッチの制御装置。
（付記１０）
前記電極電圧印加装置は、前記切替不成立通知を前記経路切替指示装置に通知する場合に、電極電圧の印加をオフにする手段、前記経路切替指示装置からの切替情報に依存しないで電極電圧をそのまま保持し続ける手段、電極にパス接続にとってはイレギュラーな印加電圧を印加し続ける手段のいずれかを備えることを特徴とする、付記１から９のいずれか一項に記載の多チャンネル光スイッチの制御装置。（１０）
（付記１１）前記電極電圧印加装置は、前記切替不成立通知を前記経路切替指示装置に通知する場合に、隣接電極の駆動回路の出力をハイ・インピーダンスに制御する手段を備えている、付記６から１０のいずれか一項に記載の多チャンネル光スイッチの制御装置。
（付記１２）前記電極電圧印加装置は、切替不成立通知を前記経路情報切替指示装置に通知する際に、再接続可能になるまでの予想時間を一緒に通知する手段を備えることを特徴とする、付記１から１１のいずれか一項に記載の多チャンネル光スイッチ。
（付記１３）前記切替不成立通知を前記経路情報切替指示装置に通知する際に、切替受け入れを許容するある限定的な条件を一緒に通知する手段を備えることを特徴とする、付記１から１１のいずれか一項に記載の多チャンネル光スイッチの制御装置。
（付記１４）前記限定的な条件は、切替を許容するパスの組み合わせの情報及び切替を許容する切替情報入力の時間的な間隔の情報の少なくとも一方であることを特徴とする、付記１３に記載の多チャンネル光スイッチの制御装置。
（付記１５）前記判定用データ記録手段で使用される電圧値として、パス間に対応して予め定めてある単位電圧を用いることを特徴とする、付記１、２、４、６から１１のいずれか一項に記載の多チャンネル光スイッチの制御装置。
【産業上の利用可能性】
【００９４】
多チャンネルで高集積度のＥＯ−ＳＷにおいて、外部から切替情報が入力された際に切替判定を行い、切替をしてはいけないと判断した場合は、切替を許可せずに切替不成立を外部にある経路切替指示装置に通知する事で、長期の連続的で高速な切替要求に対しｔある一定の基準で切替を拒否し、それによりリーク電流の発生頻度を抑制する事ができ、この結果、光スイッチ素子の温度上昇を抑え、ＥＯ−ＳＷを安定して制御し動作させる事が出来る。
【図面の簡単な説明】
【００９５】
【図１】周知の光スイッチの１個を示す斜視図である。
【図２】従来の２チャンネル光スイッチの制御装置の構成を示すブロック図である。
【図３】図２に示した従来の２チャンネル光スイッチの制御装置の動作を説明するフローチャートである。
【図４】図２に示した従来の２チャンネル光スイッチの制御装置の動作を説明するグラフ図である。
【図５】光スイッチ５１〜５４の電極からグランド板２００に電流がリークする様子を示した図である。
【図６】光スイッチの電極に接続された配線間で発生するリーク電流を示す図である。
【図７】従来の光スイッチの制御装置において、高速で連続的なスイッチングを行った場合のリーク電流と発熱の様子を示すグラフ図である。
【図８】本発明の１実施の形態による多チャンネル光スイッチの制御装置の概略構成を示すブロック図である。
【図９】図８の一部の拡大図である。
【図１０】図８に示したＥＯ−ＳＷ制御装置８０２内の制御部８０３の構成を示すブロック図である。
【図１１】図１０に示した制御部８０３の動作を説明するフローチャートである。
【図１２】図１１に示した処理による電圧印加とリーク電流の発生と光スイッチの発熱との関係を示すグラフ図である。
【図１３】本発明の実施例１による多チャンネル光スイッチの制御装置の構成を示すブロック図である。
【図１４】図１３に示した実施例１による多チャンネル光スイッチの制御装置の動作を説明するフローチャートである。
【図１５】本発明の実施例２による多チャンネル光スイッチの制御装置の構成を示すブロック図である。
【図１６】図１５に示した実施例２による多チャンネル光スイッチの制御装置の動作を説明するフローチャートである。
【図１７】本発明の実施例３による多チャンネル光スイッチの制御装置の構成を示すブロック図である。
【図１８】図１７に示した実施例３による多チャンネル光スイッチの制御装置の動作を説明するフローチャートである。
【図１９】本発明の実施例４による多チャンネル光スイッチの制御装置の構成を示すブロック図である。
【図２０】図１９に示した実施例４による多チャンネル光スイッチの制御装置の動作を説明するフローチャートである。
【図２１】本発明の実施例５による多チャンネル光スイッチの制御装置の構成を示すブロック図である。
【図２２】図２１に示した実施例５による多チャンネル光スイッチの制御装置の動作を説明するフローチャートである。
【図２３】本発明の実施例６による多チャンネル光スイッチの制御装置の構成を示すブロック図である。
【図２４】図２３に示した実施例６による多チャンネル光スイッチの制御装置の動作を説明するフローチャートである。
【図２５】本発明の実施例７による多チャンネル光スイッチの制御装置の構成を示すブロック図である。
【図２６】図２５に示した実施例７による多チャンネル光スイッチの制御装置の動作を説明するフローチャートである。
【図２７】本発明の実施例８による多チャンネル光スイッチの制御装置の構成を示すブロック図である。
【図２８】図２７に示した実施例８による多チャンネル光スイッチの制御装置の動作を説明するフローチャートである。
【図２９】本発明の実施例１〜８における切替判定処理装置における判定の結果、所定の閾値以上であった場合に電極電圧の印加をオフにする手段２９を示す図である。
【図３０】本発明の実施例９により、実施例１〜８における手段２９に替えて他の手段を用いる一例を示す図である。
【図３１】本発明の実施例９により、実施例１〜８における手段２９に替えて他の手段を用いる他の例を示す図である。
【図３２】本発明の実施例９により、実施例１〜８における手段２９に替えて他の手段を用いる更に他の例を示す図である。
【図３３】本発明の実施例１０による多チャンネル光スイッチの制御装置の構成の一部を示すブロック図である。
【図３４】本発明の実施例１１による多チャンネル光スイッチの制御装置の構成の一部を示すブロック図である。
【図３５】本発明の実施例１２を説明するための入出力チャンネルと単位電圧との関係を説明する表図である。
【図３６】図３５に示した表図に基づくパスの向きと単位電圧の極性の関係を説明する図である。
【符号の説明】
【００９６】
１０１    切替情報入力装置
１０２    経過時間記録装置
１０３    判定用データ記録装置
１０４    経過時間判定装置
１０５    切替判定処理装置
１０６    電極電圧印加装置
８０１    経路切替指示装置
８０２    制御装置
８０３    制御部
【図１】
2008046316.tif 000003
【図２】
2008046316.tif 000004
【図３】
2008046316.tif 000005
【図４】
2008046316.tif 000006
【図５】
2008046316.tif 000007
【図６】
2008046316.tif 000008
【図７】
2008046316.tif 000009
【図８】
2008046316.tif 000010
【図９】
2008046316.tif 000011
【図１０】
2008046316.tif 000012
【図１１】
2008046316.tif 000013
【図１２】
2008046316.tif 000014
【図１３】
2008046316.tif 000015
【図１４】
2008046316.tif 000016
【図１５】
2008046316.tif 000017
【図１６】
2008046316.tif 000018
【図１７】
2008046316.tif 000019
【図１８】
2008046316.tif 000020
【図１９】
2008046316.tif 000021
【図２０】
2008046316.tif 000022
【図２１】
2008046316.tif 000023
【図２２】
2008046316.tif 000024
【図２３】
2008046316.tif 000025
【図２４】
2008046316.tif 000026
【図２５】
2008046316.tif 000027
【図２６】
2008046316.tif 000028
【図２７】
2008046316.tif 000029
【図２８】
2008046316.tif 000030
【図２９】
2008046316.tif 000031
【図３０】
2008046316.tif 000032
【図３１】
2008046316.tif 000033
【図３２】
2008046316.tif 000034
【図３３】
2008046316.tif 000035
【図３４】
2008046316.tif 000036
【図３５】
2008046316.tif 000037
【図３６】
2008046316.tif 000038